(57)【要約】【課題】レーザ光源を定電圧駆動する場合に目標光量に対する照射光量の誤差を抑制する。【解決手段】画像データに基づく照射領域の目標光量を設定し（Ｓ２０）、照射領域の区画単位の光量を設定し（Ｓ２１）、目標光量となるデューティーを逐次演算し（Ｓ２２〜Ｓ２７）、演算された目標光量になるデューティを逐次更新し（Ｓ２８）、更新したデューティでレーザ素子を駆動する。これにより、目標光量を変化させた場合であっても目標光量に対するデューティへとデューティが逐次更新されるため、目標光量に対する照射光量の誤差が抑制され、光量不足又は過多により生じる乾燥ムラが抑制される。【選択図】図１７
2019117830.tif 000002
【特許請求の範囲】
【請求項１】
レーザ光を射出するレーザ光源を、各々パルス幅が変更可能な複数のパルスが予め定めた周期で発生するパルス信号を供給して定電圧駆動する駆動部と、
現在のパルス幅から安定して目標光量が得られるパルス幅に到達する前の到達前パルス幅へ変更する際のパルス幅の第１の変更量を、前記現在のパルス幅から、前記目標光量が安定して得られる定常状態での前記レーザ光源のオン時の駆動電流に対応する目標パルス幅へ変更する際のパルス幅の第２の変更量より大きくなるように、前記パルス信号の複数のパルス各々のパルス幅を変更する制御を行う制御部と、
を備えたレーザ駆動制御装置。
【請求項２】
前記制御部は、前記定常状態での前記レーザ光源のオン時の駆動電流から予測される前記予め定めた周期の少なくとも１周期の平均光量が、前記第２の変更量で変更されたパルス幅に応じて生じる前記レーザ光の光量より大きくなるように前記パルス信号の複数のパルス各々のパルス幅を変更する制御を行う
請求項１記載のレーザ駆動制御装置。
【請求項３】
前記制御部は、パルス幅を増減する変更を行うことで、前記第１の変更量を、前記第２の変更量より大きくなるように、前記パルス信号の複数のパルス各々のパルス幅を変更する制御を行う
請求項１又は請求項２に記載のレーザ駆動制御装置。
【請求項４】
前記制御部は、前記目標光量が得られるまで、前記パルス信号の複数のパルス各々のパルス幅を変更する制御を行う
請求項１から請求項３の何れか１項に記載のレーザ駆動制御装置。
【請求項５】
前記制御部は、
前記現在の前記レーザ光源のオン時の第１駆動電流と、現在のパルス幅により駆動された熱時定数で定まる時間より短い所定時間後の前記レーザ光源のオン時の第２駆動電流とを導出する導出部と、を備え、
前記導出部で導出された前記第１駆動電流と、前記第２駆動電流と、に基づいて、前記レーザ光源から射出される光量が前記目標光量となるように、所定時間後の前記パルス信号のパルス幅を変更する制御を行う
請求項１記載のレーザ駆動制御装置。
【請求項６】
前記制御部は、前記レーザ光源の熱時定数情報を用いて、前記レーザ光源から射出される光量が前記目標光量となるように、所定時間間隔で所定時間各々の前記パルス信号のパルス幅を求め、求めた各パルス幅で逐次、前記パルス信号のパルスのパルス幅を更新する制御を行う
請求項５記載のレーザ駆動制御装置。
【請求項７】
前記レーザ光源は、照射されたレーザ光の一部が互いに重複する複数のレーザ素子を有し、
前記制御部は、前記複数のレーザ素子各々から照射されたレーザ光の光量分布における前記レーザ光源をオンオフする１周期での平均光量と前記目標光量との誤差が抑制されるように、前記予め定めた周波数を設定する制御を行う
請求項１記載のレーザ駆動制御装置。
【請求項８】
前記予め定めた周波数は、前記平均光量と前記目標光量との誤差が予め定めた閾値以下となる周波数である
請求項７記載のレーザ駆動制御装置。
【請求項９】
請求項１から請求項８の何れか１項に記載のレーザ駆動制御装置と、
画像情報に応じて吐出された液滴により形成された画像領域の少なくとも一部が、前記レーザ光源から照射されたレーザ光の照射領域内に含まれる場合、前記液滴を乾燥させる光量として設定された乾燥光量に対応する光量になる、前記レーザ光源をオンオフするデューティに制御されるように前記制御部の制御を行う乾燥制御部と、
を備えた乾燥装置。
【請求項１０】
前記乾燥制御部は、前記レーザ光の照射領域内に含まれる前記画像領域の端部の液滴を乾燥させる光量として設定された乾燥光量に対応する光量以上の光量になるように前記デューティを制御する
請求項９記載の乾燥装置。
【請求項１１】
前記乾燥制御部は、前記画像領域と前記レーザ光源とを相対的に移動させながら前記液滴を乾燥させるように制御する
請求項９又は請求項１０に記載の乾燥装置。
【請求項１２】
前記乾燥制御部は、前記画像領域に含まれる液滴を乾燥させる光量として複数の乾燥光量が設定された場合に、前記複数の乾燥光量に基づいて導出された共通の乾燥光量に対応する光量になるように、前記画像領域の前記複数の乾燥光量が設定された各液滴を照射するレーザ光の前記デューティを制御する
請求項９から請求項１１の何れか１項に記載の乾燥装置。
【請求項１３】
画像情報に応じて液滴を記録媒体に吐出する吐出手段と、
前記記録媒体を搬送する搬送手段と、
請求項９から請求項１２の何れか１項に記載の乾燥装置と、
前記吐出手段、前記搬送手段、及び前記乾燥装置を制御する制御手段と、
を備えた画像形成装置。
【請求項１４】
コンピュータを、請求項１から請求項８の何れか１項に記載のレーザ駆動制御装置の各部として機能させるためのレーザ駆動制御プログラム。
【請求項１５】
コンピュータを、請求項９から請求項１２の何れか１項に記載の乾燥装置の各部として機能させるための乾燥プログラム。
【発明の詳細な説明】
【技術分野】
【０００１】
本発明は、レーザ駆動制御装置、乾燥装置、画像形成装置、レーザ駆動制御プログラム及び乾燥プログラムに関する。
【背景技術】
【０００２】
特許文献１には、プロジェクションテレビの光源として半導体レーザ等のレーザ光源を用いた場合に、定電流駆動されるレーザ光源の駆動電流をパルス幅を制御して画像の諧調を表現する技術が開示されている。この特許文献１の技術では、発光量が一定となるように定電流駆動すると共に、レーザ光源をオンオフする１周期のオン時間のパルス幅を設定する諧調制御を行っている。
【先行技術文献】
【特許文献】
【０００３】
【特許文献１】国際公開第２０１１／０５２４１８号パンフレット
【発明の概要】
【発明が解決しようとする課題】
【０００４】
定電流回路により供給される電流をパルス幅制御してレーザ光源を駆動する場合、短時間で安定した光量となるように制御するためには、定電流回路に負帰還制御するための複雑な構成になる。また、定電流回路のトランジスタの冷却も必要になる。一方、レーザ光源を定電圧駆動し、１周期のオン時間のパルス幅によるデューティで駆動する場合、素子のばらつき及び素子の温度変化により、目標光量に対応するデューティで駆動してもレーザ光源から射出される光量が目標光量に達しない場合がある。
本発明は、定電圧で駆動されるレーザ光源を、パルス幅制御により目標光量に比例したデューティで駆動する場合と比べて、目標光量に対する照射光量の誤差を抑制することを目的とする。
【課題を解決するための手段】
【０００５】
上記目的を達成するために、請求項１に記載の発明のレーザ駆動制御装置は、
レーザ光を射出するレーザ光源を、各々パルス幅が変更可能な複数のパルスが予め定めた周期で発生するパルス信号を供給して定電圧駆動する駆動部と、
現在のパルス幅から安定して目標光量が得られるパルス幅に到達する前の到達前パルス幅へ変更する際のパルス幅の第１の変更量を、前記現在のパルス幅から、前記目標光量が安定して得られる定常状態での前記レーザ光源のオン時の駆動電流に対応する目標パルス幅へ変更する際のパルス幅の第２の変更量より大きくなるように、前記パルス信号の複数のパルス各々のパルス幅を変更する制御を行う制御部と、
を備える。
【０００６】
請求項２に記載の発明は、請求項１記載のレーザ駆動制御装置において、
前記制御部は、前記定常状態での前記レーザ光源のオン時の駆動電流から予測される前記予め定めた周期の少なくとも１周期の平均光量が、前記第２の変更量で変更されたパルス幅に応じて生じる前記レーザ光の光量より大きくなるように前記パルス信号の複数のパルス各々のパルス幅を変更する制御を行う。
【０００７】
請求項３に記載の発明は、請求項１又は請求項２に記載のレーザ駆動制御装置において、
前記制御部は、パルス幅を増減する変更を行うことで、前記第１の変更量を、前記第２の変更量より大きくなるように、前記パルス信号の複数のパルス各々のパルス幅を変更する制御を行う。
【０００８】
請求項４に記載の発明は、請求項１から請求項３の何れか１項に記載のレーザ駆動制御装置において、
前記制御部は、前記目標光量が得られるまで、前記パルス信号の複数のパルス各々のパルス幅を変更する制御を行う。
【０００９】
請求項５に記載の発明は、請求項１に記載のレーザ駆動制御装置において、
前記制御部は、
前記現在の前記レーザ光源のオン時の第１駆動電流と、現在のパルス幅により駆動された熱時定数で定まる時間より短い所定時間後の前記レーザ光源のオン時の第２駆動電流とを導出する導出部と、を備え、
前記導出部で導出された前記第１駆動電流と、前記第２駆動電流と、に基づいて、前記レーザ光源から射出される光量が前記目標光量となるように、所定時間後の前記パルス信号のパルス幅を変更する制御を行う。
【００１０】
請求項６に記載の発明は、請求項５に記載のレーザ駆動制御装置において、
前記制御部は、前記レーザ光源の熱時定数情報を用いて、前記レーザ光源から射出される光量が前記目標光量となるように、所定時間間隔で所定時間各々の前記パルス信号のパルス幅を求め、求めた各パルス幅で逐次、前記パルス信号のパルスのパルス幅を更新する制御を行う。
【００１１】
請求項７に記載の発明は、請求項１に記載のレーザ駆動制御装置において、
前記レーザ光源は、照射されたレーザ光の一部が互いに重複する複数のレーザ素子を有し、
前記制御部は、前記複数のレーザ素子各々から照射されたレーザ光の光量分布における前記レーザ光源をオンオフする１周期での平均光量と前記目標光量との誤差が抑制されるように、前記予め定めた周波数を設定する制御を行う。
【００１２】
請求項８に記載の発明は、請求項７に記載のレーザ駆動制御装置において、
前記予め定めた周波数は、前記平均光量と前記目標光量との誤差が予め定めた閾値以下となる周波数である。
【００１３】
請求項９に記載の発明の乾燥装置は、
請求項１から請求項８の何れか１項に記載のレーザ駆動制御装置と、
画像情報に応じて吐出された液滴により形成された画像領域の少なくとも一部が、前記レーザ光源から照射されたレーザ光の照射領域内に含まれる場合、前記液滴を乾燥させる光量として設定された乾燥光量に対応する光量になる、前記レーザ光源をオンオフするデューティに制御されるように前記制御部の制御を行う乾燥制御部と、
を備える。
【００１４】
請求項１０に記載の発明は、請求項９に記載の乾燥装置において、
前記乾燥制御部は、前記レーザ光の照射領域内に含まれる前記画像領域の端部の液滴を乾燥させる光量として設定された乾燥光量に対応する光量以上の光量になるように前記デューティを制御する。
【００１５】
請求項１１に記載の発明は、請求項９又は請求項１０に記載の乾燥装置において、
前記乾燥制御部は、前記画像領域と前記レーザ光源とを相対的に移動させながら前記液滴を乾燥させるように制御する。
【００１６】
請求項１２に記載の発明は、請求項９から請求項１１の何れか１項に記載の乾燥装置において、
前記乾燥制御部は、前記画像領域に含まれる液滴を乾燥させる光量として複数の乾燥光量が設定された場合に、前記複数の乾燥光量に基づいて導出された共通の乾燥光量に対応する光量になるように、前記画像領域の前記複数の乾燥光量が設定された各液滴を照射するレーザ光の前記デューティを制御する。
【００１７】
請求項１３に記載の発明の画像形成装置は、
画像情報に応じて液滴を記録媒体に吐出する吐出手段と、
前記記録媒体を搬送する搬送手段と、
請求項９から請求項１２の何れか１項に記載の乾燥装置と、
前記吐出手段、前記搬送手段、及び前記乾燥装置を制御する制御手段と、
を備える。
【００１８】
請求項１４に記載の発明のレーザ駆動制御プログラムは、
コンピュータを、請求項１から請求項８の何れか１項に記載のレーザ駆動制御装置の各部として機能させる。
【００１９】
請求項１５に記載の発明の乾燥プログラムは、
コンピュータを、請求項９から請求項１２の何れか１項に記載の乾燥装置の各部として機能させる。
【発明の効果】
【００２０】
請求項１から８の発明によれば、定電圧で駆動されるレーザ光源を、パルス幅制御により目標光量に比例するデューティで駆動する場合と比べて、目標光量に対する照射光量の誤差を抑制することができる、という効果を奏する。
【００２１】
請求項９、１３、１４、１５の発明によれば、液滴にレーザ光を照射して液滴を乾燥させる際、レーザ光の広がりを考慮せずに設定した照射光量でレーザ光を照射した場合と比較して、液滴に照射されるレーザ光の照射光量のばらつきにより生じる乾燥ムラを抑制することができる、という効果を奏する。
【００２２】
請求項１０の発明によれば、画像領域の端部を照射するレーザ素子のレーザ光の照射光量を設定する場合と比較して、画像領域の端部に生じる乾燥ムラを抑制することができる、という効果を奏する。
【００２３】
請求項１１の発明によれば、画像領域及び複数のレーザ素子を移動させずに液滴を乾燥させる場合と比較して、より大きな画像領域を乾燥することができる、という効果を奏する。
【００２４】
請求項１２の発明によれば、複数の乾燥光量に対応して各々レーザ光の照射光量を設定してレーザ光を照射した場合と比較して、複数の乾燥光量により生じる乾燥ムラを抑制することができる、という効果を奏する。
【図面の簡単な説明】
【００２５】
【図１】インクジェット記録装置の主要構成部の一例を示す概略構成図である。
【図２】複数のレーザ光を照射する場合におけるＰＷＭ信号と、照射光量との関係の一例を示すイメージ図であり、（Ａ）はＰＷＭ信号を示し、（Ｂ）はレーザ光の光量を示す。
【図３】目標光量に満たない光量を補うＰＷＭ信号と、照射光量との関係の一例を示すイメージ図であり、（Ａ）はＰＷＭ信号を示し、（Ｂ）はレーザ光の光量を示す。
【図４】デューティを徐々に変化させる場合の一例を示すイメージ図であり、（Ａ）は目標光量を照射することが想定されるデューティによる光量変化を示し、（Ｂ）はデューティを徐々に変化させた場合を示す。
【図５】光量を減少させるデューティに変化させる場合のＰＷＭ信号と、照射光量との関係の一例を示すイメージ図であり、（Ａ）はＰＷＭ信号を示し、（Ｂ）は、レーザ光の光量を示す。
【図６】目標光量とデューティとの関係の一例を示すイメージ図であり、（Ａ）は目標光量を示し、（Ｂ）はデューティを示す。
【図７】レーザ光源の駆動電流とデューティとの関係を定電流駆動の場合と、定電圧駆動の場合の一例を示すイメージ図である。
【図８】デューティに対する光量、及び、電流とデューティに対する光量を示すイメージ図である。
【図９】デューティに対するレーザ光源のオン時の電流の関係を示すイメージ図である。
【図１０】連続紙の搬送速度に対してオンオフする周波数が充分高い場合を示し、レーザ光のビームプロファイルと、オンオフするデューティと、照射光量との関係を示すイメージ図であり、（Ａ）は予め定めた周波数でレーザ光源をオンオフした場合のビームプロファイルを示し、（Ｂ）はレーザ光の光量の累積エネルギプロファイルを示す。
【図１１】図１０に比べて連続紙の搬送速度に対してオンオフする周波数が低い場合を示し、レーザ光源に関係する物理量の一例を示すイメージ図であり、（Ａ）は図１０に示す周波数より低い周波数でレーザ光源を駆動した場合のビームプロファイルを示し、（Ｂ）は累積エネルギプロファイルを示す。
【図１２】レーザ光と、累積光量の変動との関係を示すイメージ図である。
【図１３】レーザ駆動部の一例を示すイメージ図である。
【図１４】デューティに関係する電気系の主要な構成の一例を示すブロック図である。
【図１５】図１４の電気系の主要な構成の回路例を示すイメージ図である。
【図１６】デューティを導出するために用いるパラメータを導出する処理の流れの一例を示すフローチャートである。
【図１７】デューティを導出する処理の流れの一例を示すフローチャートである。
【図１８】レーザ乾燥装置のレーザ照射面の一例を示す図である。
【図１９】用紙幅方向の画像形成領域とレーザ素子ブロックとの位置関係の一例を示す図である。
【図２０】複数のレーザ素子によるレーザ照射領域の一例を示す図である。
【図２１】インクジェット記録装置における電気系の要部構成の一例を示す図である。
【図２２】実施形態における乾燥処理の流れの一例を示すフローチャートである。
【図２３】目標値として導出した画像形成領域におけるエネルギの一例を示す図である。
【図２４】累積エネルギを導出する対象となる領域の一例を示す図である。
【図２５】レーザ素子の照射光量を求める過程の一例を示す模式図である。
【図２６】累積エネルギの最大値を用いて照射光量プロファイルを導出する過程の一例を示す模式図である。
【図２７】用紙幅方向の画像形成領域とレーザ素子ブロックとの位置関係の一例を示す図である。
【発明を実施するための形態】
【００２６】
以下、開示の技術に係る実施形態について説明する。なお、作用機能が同じ働きを担う構成要素及び処理には、全図面を通して同じ符合を付与し、重複する説明を適宜省略する場合がある。
【００２７】
図１に、本実施形態に係るインクジェット記録装置１０の主要構成部を示した概略構成図の一例を示す。
【００２８】
インクジェット記録装置１０は、例えば、制御部２０、記憶部３０、ヘッド駆動部４０、印字ヘッド５０、レーザ駆動部６０、レーザ乾燥装置７０、給紙ロール８０、排出ロール９０、搬送ローラ１００、及び用紙速度検出センサ１１０等を含む。
【００２９】
制御部２０は、図示しない用紙搬送モータを駆動することで、用紙搬送モータと例えばギヤ等の機構を介して接続された搬送ローラ１００の回転を制御する。給紙ロール８０には、記録媒体として用紙搬送方向に長尺状の連続紙Ｐが巻きつけられており、搬送ローラ１００の回転に伴って連続紙Ｐが用紙搬送方向に搬送される。
【００３０】
また、制御部２０は、例えば記憶部３０に記憶される、ユーザが連続紙Ｐに描画させたい画像の情報、すなわち画像情報を取得し、画像情報に含まれる画像の画素毎の色情報に基づいてヘッド駆動部４０を制御する。そして、ヘッド駆動部４０は、制御部２０から指示されたインク滴の吐出タイミングに従って、ヘッド駆動部４０に接続された印字ヘッド５０を駆動して、印字ヘッド５０からインク滴を吐出させ、搬送される連続紙Ｐ上に画像情報に対応した画像を形成する。
【００３１】
なお、画像情報の画素毎の色情報には、画素の色を一意に示す情報が含まれる。本実施形態の例では、例えば、画像の画素毎の色情報がイエロー（Ｙ）、マゼンタ（Ｍ）、シアン（Ｃ）、黒（Ｋ）の各々の濃度によって表されているものとするが、画像の色を一意に示す他の表現方法を用いても構わない。
【００３２】
印字ヘッド５０は、Ｙ色、Ｍ色、Ｃ色、及びＫ色の４色それぞれに対応した４つの印字ヘッド５０Ｙ、５０Ｍ、５０Ｃ、及び５０Ｋを含み、各色の印字ヘッド５０に設けられたインク吐出口から対応する色のインク滴を吐出する。図１に示す例では、搬送方向に沿ってＫ色、Ｙ色、Ｃ色、及びＭ色の順に各色の印字ヘッド５０が設けられた場合を一例として示す。なお、印字ヘッド５０においてインク滴を吐出するための駆動方法は特に限定されず、いわゆるサーマル方式や圧電方式等、公知のものが適用される。
【００３３】
レーザ乾燥装置７０は、連続紙Ｐへ向けて各々レーザ光を照射する複数のレーザ素子を備えたレーザ光源７１を含んでいる。レーザ駆動部６０にはレーザ乾燥装置７０に含まれるレーザ光源７１のレーザ素子各々のオンオフを制御するＦＥＴ（Field Effect Transistor）等のスイッチング素子が含まれる。レーザ駆動部６０は、制御部２０からの指示に基づいて所定周波数でスイッチング素子を駆動し、またレーザ素子のオンオフ１周期のデューティを制御することでレーザ素子から照射されるレーザ光の照射光量を調整する。本実施形態に係るレーザ駆動部６０は、定電圧駆動によりレーザ素子を駆動させ、かつレーザ素子のオンオフ制御として、ＰＷＭ（Puise Width Modulation）制御を用いている。具体的には、レーザ素子のオン時の信号のパルス幅が短く（デューティが小さく）なるに従ってレーザ光の照射光量が小さくなり、パルス幅が長く（デューティが大きく）なるに従ってレーザ光の照射光量が大きくなる（詳細は後述）。
【００３４】
そして、制御部２０は、レーザ駆動部６０を制御することで、レーザ乾燥装置７０から連続紙Ｐの画像形成面に向けてレーザ光を照射させ、連続紙Ｐに形成された画像のインク滴を乾燥させて、連続紙Ｐへの画像の定着を図る。なお、レーザ駆動部６０及びレーザ乾燥装置７０を含んだものを乾燥装置という。また、画像形成面とは、連続紙Ｐに画像を形成する側の面をいう。また、連続紙Ｐ（画像形成面）上に画像形成可能な領域を画像形成領域という。すなわち、画像形成領域とは、連続紙Ｐ上に画像に応じたインク滴が吐出されてインク画像を形成可能な領域をいう。
【００３５】
また、レーザ乾燥装置７０のレーザ素子から連続紙Ｐまでの距離は、レーザ素子の放射角度及び放射領域の広さに基づいて設定される。
【００３６】
その後、連続紙Ｐは搬送ローラ１００の回転に伴って排出ロール９０まで搬送され、排出ロール９０に巻き取られる。
【００３７】
用紙速度検出センサ１１０は、例えば連続紙Ｐの画像形成面と対向する位置に配置され、連続紙Ｐの搬送方向における搬送速度を検出する。制御部２０は、用紙速度検出センサ１１０から通知される搬送速度、及び印字ヘッド５０からレーザ乾燥装置７０までの距離を用いて、印字ヘッド５０から連続紙Ｐに吐出したインク滴がレーザ乾燥装置７０のレーザ照射領域内に搬送されるタイミングを算出する。そして、制御部２０は、連続紙Ｐ上のインク滴がレーザ乾燥装置７０のレーザ照射領域内に搬送されるタイミングで、レーザ乾燥装置７０からインク滴にレーザ光が照射されるよう、レーザ駆動部６０を制御する。
【００３８】
なお、用紙速度検出センサ１１０において連続紙Ｐの搬送速度を検出するための検出方法は特に限定されず、公知のものが適用される。また、用紙速度検出センサ１１０は、本実施形態に係るインクジェット記録装置１０に必須のものではない。例えば、連続紙Ｐの搬送速度が予め定められている場合には、用紙速度検出センサ１１０が不要となる場合がある。
【００３９】
また、インクとしては水性インク、溶媒が蒸発するインクである油性インク、紫外線硬化型インク等が存在するが、本実施の形態では水性インクを使用するものとする。以下、単に「インク」又は「インク滴」とある場合は、「水性インク」又は「水性インク滴」を意味しているものとする。また、本実施形態に係るＹＭＣＫ各色のインクには、Ｋ色を除いてＩＲ（infrared）吸収剤が添加され、インクがレーザ光を吸収する度合いが調整されるが、必ずしもＹＭＣＫ各色のインクにＩＲ吸収剤を添加しなくてもよい。
【００４０】
このように、インクジェット記録装置１０は、連続紙Ｐに吐出されたインク滴を乾燥するレーザ乾燥装置７０を含む。
【００４１】
ところで、インク滴を吐出する印字ヘッド５０を用いて画像を形成する場合、印字領域を効率的に乾燥させるため、印字領域に乾燥エネルギを投入する。この印字領域に乾燥エネルギを投入する素子として赤外線の半導体発光素子が注目されている。特に、赤外線の半導体発光素子の一例である赤外線レーザは、発光効率が高く、またオンオフ速度を高速にできる。このため、省エネを目的として、要求に応じた時間だけ照射させる、所謂オンデマンドの照射を可能とする素子として期待される。
【００４２】
半導体発光素子等のレーザ光源の駆動には一般的に定電流駆動が用いられる。半導体発光素子の一例であるＬＥＤ（Light Emitting Diode）を照明用に用いる場合、予め定めた照明光量を得るために複数のＬＥＤを駆動する。この場合、共通の駆動条件で複数のＬＥＤを駆動するので、ＬＥＤにばらつきがあっても、共通の駆動電流による駆動のため、ＬＥＤ各々の駆動電圧は近くなり、定電流回路における損失は抑制され、省エネが期待できる。ところが、インク滴の乾燥にレーザ光源を用いてインク滴の量に応じてレーザ光をオンデマンド制御する場合には照射光量はインク滴の分布に応じたものとなる。このため、複数のレーザ素子によりレーザ光源を形成し、複数のレーザ素子各々によるレーザ光からの照射光でインク滴を乾燥させる場合、駆動電流はレーザ素子間のばらつきに加えて駆動電流自体もばらつくため、定電流回路を共通の電位で駆動しようとすると、駆動電圧は最大駆動電流に合わせて設定される。このため、駆動電流が最大駆動電流より小さく設定された定電流回路では損失が発生する。従って、オンデマンド制御により過度のエネルギをインク滴に照射することによる画質劣化が回避可能であるが、省エネの効果は減じられる。
【００４３】
これに対して、定電流駆動によるレーザ光源をＰＷＭ制御することで、照射光量を高精度に制御可能になる。すなわち、ＰＷＭ制御では、オン時の駆動電流は一定にでき、駆動電圧の相違による定電流回路の損失を抑えることができ、またＰＷＭ１周期での平均光量（以下の説明では単に光量と言った場合は、この平均光量をいう。）はＰＷＭのデューティ（Duty）で定まるので、照射光量を高精度に制御することが可能になる。しかし、定電流回路は個別に負帰還制御するため部品点数が多くなりコスト高になる。また、共通する電流であっても多数の直列接続したレーザ素子を大電流で駆動すると、駆動電圧のばらつきが小さくなっても電流が大きいためにばらつきを考慮したとしても定電流回路の損失は無視できない。この場合にはヒートシンク及び強制空冷による定電流回路の冷却が要求される。これらの事項を解消する簡単かつ損失抑制、すなわち、部品点数を減少させ、かつ損失をも減少させる定電圧駆動によるレーザ光源をＰＷＭ制御することが期待される。ところが、定電圧駆動ではレーザ素子のばらつき、素子温度でオン時の電流が変動するので、定電流回路のように目標光量に対応するデューティに変化させても照射光量が目標光量に到達しない場合がある。このため、印字領域の効率的な乾燥に利用することは困難である。
【００４４】
そこで、本実施形態では、簡単かつ損失抑制可能にレーザ光源７１を制御する。
【００４５】
図２に、複数のレーザ素子ＬＤによるレーザ光源によりレーザ光を照射する場合におけるＰＷＭ制御における信号と、照射される光量との関係の一例を示す。図２（Ａ）は、ＰＷＭ制御における信号を示し、図２（Ｂ）は、図２（Ａ）の信号により照射されたレーザ光の光量を示している。
【００４６】
図２に示す例では、現在の光量Ｉａから目標光量Ｉｂへ光量を変更する場合を示している。図２（Ａ）に示すように、光量Ｉａの光量を射出するためのＰＷＭ制御における信号のデューティが予め定められている。すなわち、パルス幅ｔａの時間レーザ光源がオンされる。また、目標光量Ｉｂの光量を射出するためのＰＷＭ制御における信号のデューティも予め定められている。すなわち、パルス幅ｔｂの時間レーザ光源がオンされる。
【００４７】
ところが、図２（Ｂ）に示すように、現在の光量Ｉａから目標光量Ｉｂへ光量に変更された時間ｔｐの時点では、レーザ光源から射出されるレーザ光の光量は目標光量Ｉｂに到達していない。すなわち、目標光量Ｉｂを照射するようにパルス幅ｔｂにデューティを変化させても、レーザ光の光量は目標光量Ｉｂに到達しない。これは、単純に目標光量Ｉｂに比例してデューティを変化させただけでは、変化させた時点ではレーザ光源の温度がデューティ変化前と同じであり、結果として、レーザ光源をオンした際の電流に変化がなく、レーザ光源から照射される光量が目標光量より低くなると考えられる。そして、所定の時定数で温度が上昇し、結果として光量も増加し、目標光量Ｉｂに収束する。この目標光量に収束する状態は定常状態とすることができる。従って、例えば、インク滴の量に応じて用紙上に目標光量Ｉｂに比例してデューティを変化させながらレーザ光を照射しても、デューティの変化時点では目標光量Ｉｂに到達せず、目標光量Ｉｂに収束するまでは目標光量に満たない光量が照射される。
【００４８】
そこで、本実施形態では、デューティを変化させる場合に、目標光量に満たない光量を補うように、ＰＷＭ制御における信号のデューティを変化、すなわち所定時間のパルス幅を増減させる。
【００４９】
図３に、デューティを変化させる場合に目標光量に満たない光量を補うＰＷＭ制御における信号と、照射される光量との関係の一例を示す。図３（Ａ）は、ＰＷＭ制御における信号を示し、図３（Ｂ）は、図３（Ａ）の信号により照射されたレーザ光の光量を示している。
【００５０】
図３（Ａ）に示すように、目標光量に満たない光量を補うべく、目標光量Ｉｂを照射することが想定されるパルス幅ｔｂより時間ｔｘだけ長いパルス幅ｔｃにデューティを変化させることで、図２（Ｂ）に示すように、現在の光量Ｉａから目標光量Ｉｂへ光量に変更された時間ｔｐの時点において、レーザ光源から射出されるレーザ光の光量が目標光量Ｉｂに到達する。
【００５１】
図３に示す例では、現在の光量Ｉａから目標光量Ｉｂへ光量に変更された時間ｔｐの時点に、デューティを変化させる場合を説明した。しかし、上述のように、所定の時定数でレーザ光源の温度が上昇し、結果として光量も増加し、目標光量Ｉｂに収束する。従って、目標光量Ｉｂに収束するまで徐々にデューティを変化させてもよい。
【００５２】
図４に、デューティを徐々に変化させる場合の一例を示す。図４（Ａ）は、目標光量Ｉｂを照射することが想定されるパルス幅ｔｂにデューティを変化させた場合の光量変化を示し、図４（Ｂ）は、ＰＷＭ制御における信号のデューティを徐々に変化させた場合を示している。
【００５３】
図４（Ａ）に示す目標光量Ｉｂに収束するまでの時間ｔｗの間で、図４（Ｂ）に示すように、パルス幅ｔｂより時間ｔｘだけ長いパルス幅ｔｃのデューティからパルス幅ｔｂに徐々にパルス幅を短くする。このようにすることで、デューティを変更した時間ｔｐの時点から照射される光量が目標光量Ｉｂに収束するまでの間における光量が補われ、時間ｔｐから目標光量Ｉｂとなる光量がレーザ光源から照射される。
【００５４】
上記では、現在の光量Ｉａから目標光量Ｉｂへ光量を増加させる場合を説明したが、開示の技術は光量を減少させる場合にも同様に機能する。
【００５５】
図５に、光量を減少させるデューティを変化する場合におけるＰＷＭ制御における信号と、照射される光量との関係の一例を示す。図５（Ａ）は、ＰＷＭ制御における信号を示し、図５（Ｂ）は、図５（Ａ）の信号により照射されたレーザ光の光量を示している。
【００５６】
図５（Ａ）に示すように、目標光量Ｉｂを照射することが想定されるパルス幅ｔｂより時間ｔｙだけ短いパルス幅ｔｃにデューティを変化させることで、図５（Ｂ）に示すように、現在の光量Ｉａから目標光量Ｉｂへ光量に変更された時間ｔｐの時点において、レーザ光源から射出されるレーザ光の光量が目標光量Ｉｂに到達する。
【００５７】
図６に、目標光量と、目標光量に到達させるデューティとの関係の一例を示す。図６（Ａ）は、目標光量を示し、図６（Ｂ）は、目標光量に到達させるデューティを示している。
【００５８】
図６（Ａ）に示すように、目標光量Ｉｂ１、Ｉｂ２、Ｉｂ３、Ｉｂ４に順に変化させる場合、図６（Ｂ）に示すように、各目標光量Ｉｂ１〜Ｉｂ４が照射されることが予測されるデューティＤｔ１，Ｄｔ２，Ｄｔ３，Ｄｔ４の各々より、変化させるデューティを大きくすることで、レーザ光源７１から射出されるレーザ光の光量が目標光量Ｉｂ１〜Ｉｂ４の各々に到達する。なお、図６では、変化させるデューティを、実際に変化させるデューティより大きく表示している。実際に変化させるデューティは、変化量に比例するので、変化量に応じた大きさに変化させることになる。
【００５９】
なお、目標光量に満たない光量を補うべくデューティを変化させる場合に、レーザ光源及びレーザ駆動部６０の温度特性に基づいてデューティを変化（パルス幅を増減）させることが好ましい。これは、レーザ光源及びレーザ駆動部６０の温度特性（温度時定数）に応じて目標光量Ｉｂに収束するまでの時間が変化することが予測されるためである。
【００６０】
次に、目標光量Ｉｂに高精度で制御する方法の一例をさらに説明する。
まず、レーザ光源７１の駆動電流とＰＷＭ制御によるデューティとの関係を説明する。
図７に、レーザ光源７１の駆動電流とＰＷＭ制御によるデューティとの関係の一例を示す。図７は、デューティを変化させた場合におけるレーザ光源７１のオン時の電流と照射される光量との関係を示している。
【００６１】
図７に示すように、レーザ光源７１は定電圧駆動のため、デューティを増加させるとオン時の電流も増加する。しかし、光量はデューティと比例しない。
【００６２】
図８に、レーザ光源７１の駆動電流−レーザ発振閾値電流Ithとデューティを乗算した結果に対する光量を示す。
図８では、図７に示すように、定電圧駆動でＰＷＭ制御するデューティに対して光量は比例でなく非直線である。これは定電流でＰＷＭ制御する場合と異なり、デューティの増大によりレーザ光源７１におけるレーザ素子の活性層温度が上昇して電圧特性及び電流特性が変化し、電流が増大するためであり、比例よりも増加の割合が大きくなる。一方、図８の電流とデューティとの乗算結果に対する光量では、デューティの途中までは略一致する。従って、光量を高精度に制御するにはＰＷＭ制御におけるレーザ光源７１のオン時の電流を把握することが重要であることが理解される。
【００６３】
このように、デューティと光量とが比例しない原因は、駆動電圧が一定であってもレーザ素子の活性層温度によって電流が変化するためと考えられる。従って、デューティを増大させると、活性層温度が上昇し、それに伴って電流が増加して、電流増加による光量増加が比例以上に増大する。さらに、デューティを増加させると、レーザ素子のロールオーバー領域に入り発光効率が低下して比例以下になる。ただし、ロールオーバー領域は効率が低下する領域であるため本来使用すべきではない領域であり、ロールオーバーまで含めた補正を想定すると演算が複雑になるため、本実施形態ではロールオーバー領域を補正対象から除外する。すなわち、本実施形態では、定電流回路を用いた場合よりも損失が少なく、単純な回路で、定電流回路同等の制御を行うことが可能であることを目的にしている。従って、本実施形態では、光量が駆動電流（電流・レーザー発振閾値）に比例することを前提にした範囲Ｄｔｗ内で制御する。
【００６４】
レーザ光源７１のオン電流は、次に示す式から算出することができる。
動作点近傍でオン時の電流が温度と比例すると考えると、
Ｉｎ＝Ｉｏ＋ΔＩ／ΔＴ×（Ｔｎ−Ｔｏ）
ただし、Ｔｏは室温、Ｔｎはレーザ光源の駆動時のレーザ活性層温度である。
【００６５】
上記に示した式では、レーザ光源７１のオン時の電流を算出するため、レーザ活性層温度を式に含めている。このレーザ活性層温度は、レーザ光源７１を稼動した状態で測定することは困難なため、事前に熱等価回路などを用いたキャリブレーション等によってばらつき含めたパラメータを求めておき、求めたパラメータを用いて活性層温度を推定して、その温度からオン電流を算出し、その電流と目標とする光量とからデューティを算出する。
【００６６】
また、レーザ光源７１を駆動する場合、レーザ光源７１に含まれる複数のレーザ素子の駆動数に応じて電流が異なる。
【００６７】
図９に、デューティに対するレーザ光源７１のオン時の電流の関係を示す。図９では、レーザ光源に含まれる複数のレーザ素子の一部を駆動した場合の特性を実線で示し、複数駆動した場合を点線で示した。
図９に示すように、レーザ光源７１に含まれるレーザ素子を複数駆動すると、各々ケーブル及び共通配線における電圧降下が大きくなり、結果としてレーザ光源７１への印加電圧が低下してオン時の電流が減少する。従って、駆動するレーザ素子の総駆動電流と共通配線による電圧降下を考慮することが好ましい。
【００６８】
ここで、過渡応答でのレーザ光源７１の電流は、次に示す漸化式である（１）式で表すことができる。
In=In-1 ＋ ((Io−In-1)×(ΔT/ΔI)／Rth
＋(In×(Vps-IcRc)-η×(In-Ith))×Duty)×Δt／Cth×ΔI/ΔT      ・・・（１）
なお、ηは、微分効率である。
【００６９】
上記（１）式の第１項は、
In-1+((Io−In-1)×(ΔT/ΔI)／Rth
であり、レーザ素子からの放熱を示す。
【００７０】
上記（１）式の第２項は、
(In×(Vps-IcRc)-η×(In-Ith))×Duty
であり、レーザ素子の発熱を示す。
【００７１】
この（１）式を用いて、放熱と発熱の差し引き差から次の電流を予測できる。
【００７２】
ＩｏはDuty＝０での電流のため、室温でのレーザ素子を流れる電流であり、電流の変動ΔＩと温度の変動ΔＴとは比例関係にあり、その比例係数が動作点付近で一定値であると仮定すると、室温からのレーザ素子温度上層は、（Io−In-1）×ΔT/ΔIで表される。上記の（１）式からＩｎを求めると、次の（２）式となる。
In=(In-1＋((Io-In-1)／Rth×Δｔ／Cth＋η×Ith×ΔT／Cth×ΔI／ΔT×Duty)／((１−(Vd-IcRc-η)×Duty×Δｔ／Cth×(ΔI/ΔT))＋Δｔ／Rth／Cth)
・・・（２）
【００７３】
さらに、上記（２）式では、Ｉｏと、Rth×ΔI／ΔTは、レーザ素子への印加電圧Vdにより変動する。その変動を直線近似し、その切片と傾きを、Ｉｏはα１、β１、Rth×ΔI／ΔTはα２、β２とすると、Vd＝(Vps-IcRc)、Io＝Vd×α１＋β１＝（Vps-IcRc)×α１＋β１、ΔI/ΔT×Rth＝（Vps-IcRc)×α２＋β２
また、ΔI/ΔTは、使用領域における電流と温度の比、Vpsは電源電圧、Rcはケーブル含めた電源からレーザ光源７１までの配線抵抗、Icは電源ケーブルを流れる電流、DutyはＰＷＭ制御のデューティを示す０〜１であり、Δｔは差分の時間を示す。
【００７４】
上記（２）式によりＰＷＭ制御のオン時の電流が求められると、レーザ素子温度が一定と見なせるΔｔの時間であれば、Ｉｎは変わらないとして、以下のように目標光量に対するデューティを算出することができる。
ここで、目標光量をPd、発光効率をη（ΔP/ΔI)とすると、デューティは、
Pd=（In-Ith)×η×Duty
Duty=Pd/(In-Ith)/η
として補正されたデューティとして算出することができる。
【００７５】
次に、パラメータの算出について説明する。
熱平衡状態ではIn=In-1であるため、（１）式は次の（３）式で表される。
((Io-In)/(ΔI/ΔT/Rth)×((Vps-IcRc)×In-η×(In-Ith)×Duty)×Δｔ/(Cth×ΔT/ΔI)=0
・・・（３）
【００７６】
（３）式の両辺に（Cth×ΔT/ΔI)／Δｔを乗算し整理すると、デューティと電流の関係を表す次の（４）式となる。
In=(Io＋Duty×η×Ith×Rth×ΔI/ΔT)／（１−(ΔI/ΔT×Rth）×（Vps-IcRc-η)×Duty）      ・・・（４）
【００７７】
このデューティDutyに対するレーザ素子電流Ｉｎの直線では、Duty=0としてＩｏが切片となる。また、Rth×ΔT/ΔIについて求めると、
Rth×ΔT/ΔI＝（In-Io）/(Duty×（In×（Vps-IcRc-η）＋η×Ith）))）
として算出することができる。
ここでRth×ΔT/ΔIはDutyで変化するが、式を簡単にするためDuty＝１近傍の値で代表して算出することでデューティDuty0〜１までで式を簡略化しつつ誤差を抑えるようにする。
さらに、Ioは駆動電圧で変化するので、これを線形近似すると、
Io=Vd×α１＋β１
と表すことができる。
【００７８】
また、Rthは一定であり、ΔI/ΔTは駆動電圧で変化するので、
ΔI/ΔT×RthをVd×α２＋β２として（４）式に代入すると、次の（５）式に簡略化できる。
In=(((Vps-IcRc)×α１＋β１)＋Duty×η×Ith×((Vps-IcRc）×α２＋β２)))／(１−((Vps-IcRc)×α２＋β２)×(Vps-IcRc−η)×Duty)
・・・（５）
【００７９】
次に、各パラメータの算出について説明する。
【００８０】
まず、上記の（４）式におけるパラメータIoの算出について説明する。
ここで、Ioを算出する際はレーザ光源７１の接続ケーブルでの電圧降下を無視できる程度に短く、また１個のレーザ素子のみを駆動して電圧降下を無視できるようにする。また、印加電圧を直接モニターできるように各レーザ素子のアノード、カソード間を測定しても良い。
デューティを変化させて、ＰＷＭ制御におけるレーザ素子のオン時の電流をプロットし、デューティゼロまで外挿した点がIoとなる。この場合、デューティを変化させても印加電圧の変動が無視できる状態で測定する。
【００８１】
次に、パラメータ（Rth×ΔI/ΔT）の算出について説明する。
上記の（４）式を変形すると、パラメータ（Rth×ΔI/ΔT）は、次の式で表すことができる。
Rth×ΔI/ΔT
＝（In−Ｉｏ)/（（In×（Vps-IｃRc―η)＋η×Ith）×Duty)
【００８２】
ここでケーブルのRcが無視できるとすると、
Rth×ΔI/ΔT
＝（In−Ｉｏ）/（（In ×（Vps−η）＋η×Ith）×Duty)
となる。
【００８３】
次に、上記求めたIoを代入して、パラメータ（Rth×ΔI/ΔT）を算出する。なお、算出するデューティは発光効率ηが一定である領域における予め定めた値、例えば最大値を用いる。この処理を複数のVpsに対して算出して、Rth×ΔI/ΔTをVdの関数として近似し、
Rth×ΔI/ΔT＝ α２×Vｄ＋β２
のα２、β２を算出する。
【００８４】
次に、過渡応答含めた（１）式を用いて、熱に関係する時定数を求める。
過渡応答含めた（１）式の第１項を用いて、時定数を求める。すなわち、第１項は、次に示すように、変数分離型で表すことができる。
In-In-1＝（（Io-In-1)／Rth×Δｔ／Cth
ΔI／（（Io-In-1)＝Δｔ／（Rth×Cth)
【００８５】
Ｉ＝A×exp（ｔ／（Rth×Cth)＋B  であり、
時定数τ＝Rth×Cthを求めることができる。
時定数τはデューティＤｕｔｙを変化させたときのレーザ駆動電流Ｉｎを観察すると初期のＩｎから熱平衡状態でのＩｎへと収束する様子が観察されるので容易に求めることができる。このため、実際に求めることが難しいＲｔｈを求めずとも熱的時定数情報Ｒｔｈ×ΔＩ／ΔＴとＲｔｈ×Ｃｔｈが以上の説明により求めることができるので、もう一つの熱的時定数情報Ｃｔｈ×ΔＴ／ΔＩも求めることができる。この結果過渡的な状態を表す式（２）が算出できるため、実際の温度Ｔを明示的に求めることなしにレーザ素子の電流が求められ、さらに目標光量が設定されると、デューティＤｕｔｙの算出ができる。
【００８６】
なお、実測により求める場合、デューティの値を時間で矩形波状に変化させたときのＰＷＭ制御でのレーザ光源７１のオン時の電流変化の時定数を求める。求めた時定数を用いて、
Cth×ΔT/ΔI=τ／（Rth×ΔI/ΔT)
から時定数Ｃｔｈ×ΔＴ／ΔＩを算出する。なお所定時間Δｔはこの時定数よりも十分短く設定する。時定数近くに設定すると繰り返し演算した場合の誤差が大きくなる。
【００８７】
次に、ＰＷＭ制御する周波数について説明する。
搬送される連続紙Ｐ上に画像情報に対応して形成されたインク滴による画像を、レーザ光源７１のオンオフ１周期のデューティを制御して乾燥させる場合、ＰＷＭ制御によりレーザ光源７１のオンオフする周波数が連続氏の搬送速度に対して低い周波数である場合、光量制御の精度に影響する場合がある。
【００８８】
図１０に、レーザ光源７１から照射されるレーザ光のビームプロファイルと、レーザ光源７１をオンオフするデューティと、連続紙Ｐに照射される光量との関係を示す。
【００８９】
図１０（Ａ）は予め定めた周波数でレーザ光源７１をオンオフした場合のレーザ光のビームプロファイルとＰＷＭ制御のオンオフ信号を示している。また、図１０（Ｂ）は図１０（Ａ）による周波数でレーザ光源７１をオンオフした場合の連続紙Ｐに照射されたレーザ光の光量の累積エネルギプロファイルを示している。図１１（Ａ）は図１０（Ａ）の周波数より低い周波数でレーザ光源７１をオンオフした場合のレーザ光のビームプロファイルを示している。また、図１１（Ｂ）は、図１１（Ａ）による周波数でレーザ光源７１をオンオフした場合の連続紙Ｐに照射されたレーザ光の光量の累積エネルギプロファイルを示している。
【００９０】
図１０（Ａ）に示すように、レーザ光源７１のオンオフ１周期のデューティを制御するＰＷＭ制御で、ＰＷＭ周波数が連続紙Ｐの移動量に対して十分高いと、１周期あたりの連続紙Ｐの移動量に対してレーザ光源７１のビームプロファイルが十分広がっている場合、累積エネルギプロファイルの変動は小さい。すなわち、１周期あたりの連続紙Ｐの移動量に対して照射されるレーザ光の変動量が小さい場合、レーザ光源７１のオンオフ１周期のデューティを変化させても、図１０（Ｂ）に示すように、連続紙Ｐに照射されたレーザ光による累積エネルギプロファイルの誤差は小さい。
【００９１】
一方、  図１１（Ａ）に示すように、デューティを制御するＰＷＭ周波数が連続紙Ｐの移動量に対して低いと、１周期あたりの連続紙Ｐの移動量に対してレーザ光源７１のビームプロファイルが大きく変動する場合、ＰＷＭの信号の位相により累積エネルギプロファイルが変動する。すなわち、１周期あたりの連続紙Ｐの移動量に対して照射されるレーザ光の変動量が大きい場合、デューティを変化させると、図１１（Ｂ）に示すように、ＰＷＭ制御でオンする位相で想定した累積エネルギプロファイルと異なる累積エネルギプロファイルになる。
【００９２】
従って、想定した累積エネルギプロファイルを得るためには、連続紙Ｐの移動速度と、レーザ光源７１のオンオフ１周期、すなわちＰＷＭ制御の周波数とが関係する。
【００９３】
図１２に、レーザ光源７１から照射されるレーザ光と、連続紙Ｐに照射される累積光量の変動との関係を示す。
【００９４】
図１２では、レーザ光の拡散角度の半値角度が１５度、レーザ光源７１と連続紙Ｐとの距離が１０ｍｍ、連続紙Ｐの搬送速度が２００ｍ／ｍｉｎ、周波数が５０ｋＨｚ、連続紙Ｐをレーザ光源７１によりレーザ光を照射した場合を一例として示している。なお、レーザ光源のエネルギ分布はガウシアン分布であり、ガウシアン半径が４．４ｍｍである場合を示す。また、図１２では、レーザ光のエネルギ分布を２点鎖線で示し、光量変動の分布を実線で示した。
【００９５】
図１２に示すように、連続紙Ｐが２００ｍ／ｍｉｎの相対速度で移動した場合、周波数を５０ｋＨｚでデューティ制御すると、１周期の２０μｓｅｃ（連続紙Ｐの移動距離では０．０６６ｍｍ）で連続紙Ｐ上のレーザ光の光量変動はビーム中心から３．３ｍｍの位置で１．３％変動する。レーザ光の光量変動を６．５％まで許容すると周波数は１０ｋＨｚまで低下できる。例えば、デューティを１％として、レーザ光源７１をオンする位置が０．０６６ｍｍの領域の先端と後端とで１．３％ビーム光量が異なる。また連続紙の相対速度がたとえば４０ｍ／ｍｉｎになれば、１０ｋＨｚでも１．３％の変動に抑えられるので目標精度に加え連続紙の搬送速度も考慮してＰＷＭ周波数を決めることでロスを減らすことができる、このように、周波数でトランジスタの発熱量と、レーザ光の光量の精度が定まるので、要求される累積エネルギの制御精度からＰＷＭ制御する場合の周波数を定めることができる。
【００９６】
図１３に、レーザ駆動部６０の一例を示す。
図１３では、所定周波数でレーザ素子をオンオフするスイッチング素子としてＦＥＴ等のトランジスタＴｒを用いている。
【００９７】
図１３に示すレーザ駆動部６０の一例では、制御部２０からの指示に基づくＰＷＭ制御の周波数が１ＭＨｚ、そしてデュ−ティが１００％で駆動した場合、トランジスタＴｒにおける消費電力が６０ｍＷであった。
【００９８】
この場合に、デューティを５０％にすると、消費電力が１８０ｍＷになった。この消費電力１８０ｍＷのうち、１５０ｍＷはスイッチング時の消費電力であり、スイッチング周波数に比例する。そして、３０ｍＷがデューティに比例する直流的な損失である。トランジスタＴｒはオン状態のときの抵抗が略０（＝６０ｍＷ／電流／電流）であり、オフ状態のときの抵抗が無限大になって直流的には損失がない。一方、トランジスタＴｒがオン状態からオフ状態、としてオン状態に遷移する過渡状態では、遷移期間を短くしてもスイッチングトランジスタのゲート容量を充電する時間が必要であり、ゼロにはできないため、等価抵抗が略０と無限大の間の抵抗値となり損失が発生する。従って、スイッチング時の消費電力を１５０ｍＷを３０ｍＷ以下にすれば損失が抑制される。すなわち、１／５の２００ｋＨｚ以下で駆動すると、デューティ１００％により消費する消費電力６０ｍＷ以上には発熱しない。従って、冷却を不要とする周波数の上限値をデューティ１００％の状態で定めることができる。
【００９９】
一方、周波数の下限値は、連続紙Ｐの移動速度と、レーザ光源の光量分布と、光量変動とから定まる。上述の例では、５０ｋＨｚ以上の周波数で駆動することが好ましい。従って、ＰＷＭ制御の周波数は、５０ｋＨｚ以上でかつ２００ｋＨｚ以下に設定することが好ましい。
【０１００】
なお、連続紙Ｐの移動速度が変動可能に構成された場合、連続紙Ｐの移動速度に応じてＰＷＭ制御の周波数を設定してもよい。
【０１０１】
次に、目標光量を得るためのデューティを導出する方法を具体的に説明する。
【０１０２】
図１４に、目標光量を得るためのデューティを導出する電気系の主要な構成の一例を示す。
図１４に示すように、制御部２０は、駆動電源制御部２１及び光量設定部２２を含んでいる。レーザ駆動部６０は、デューティ演算部６１、ＰＷＭ信号発生部６２、バッファ６３、及びスイッチング回路６４を含んでいる。スイッチング回路６４は電流検出部６５を介してデューティ演算部６１に接続されている。レーザ乾燥装置７０は、駆動電源部７２及びレーザ光源７１を含んでおり、レーザ光源７１は電圧検出部７３を介してデューティ演算部６１に接続されている。駆動電源部７２は電圧検出部７４を介してデューティ演算部６１に接続されている。また、駆動電源部７２は駆動電源制御部２１にも接続されている。
【０１０３】
レーザ光源７１とスイッチング回路６４は直列に接続され、レーザ素子のアノードに駆動電源部７２の正側、スイッチング回路６４には負側が接続される。スイッチング回路６４にはＰＷＭ信号がバッファ６３を介して入力されるように接続され、レーザ光源７１がＰＷＭ駆動される。スイッチング回路６４にはＰＷＭ制御によるオン時の電流を検出する電流検出部６５が接続され、レーザ光源７１の正側と負側の間の電圧を検出する電圧検出部７３が接続される。測定された電圧と電流は定期的または乾燥ムラが起きた場合に用いるためのものであり、レーザ素子を切り替えながら、例えば、ＡＤ変換に必要なサンプリング時間を確保できるようにデューティを設定してレーザ光源７１の電圧、電流、及び光量特性を測定し、劣化の有無を判断し、劣化ありと判断した場合には発光効率などのパラメータの再測定を行う。一方、通常の駆動時には、電圧と電流のモニターは行わず、演算によって目標光量に基づいて設定するデューティを定め、定めたデューティでレーザ光源７１を駆動する。このようにすることで、オンデマンド制御においても、例えば、印字領域が終了したのちに再び印字領域に進入レーザ照射を開始する場合に、電流を測定してその値でフィードバックして光量を制御しようとすると、どうしても事前点灯してそのときのレーザ素子電流を把握する必要があり、無駄になるだけでなく、不要な照射を行うことで画質への影響も懸念される、Ｄｕｔｙが短い場合も同様で、最小のＤｕｔｙでも測定できるようにすると高価なＡＤコンバータを使う必要があり、精度優先で変換速度が長いＡＤコンバータを使用すると、Ｄｕｔｙが短い場合オン電流が測定できなくなる。一方演算により常時ＰＷＭ制御によりレーザ光源７１をオンしたときの電流がデューティ演算部６１で演算されるとこれにより、事前点灯せずに目標となる平均光量が制御部２０から入力されると、対応するデューティが演算されて、レーザ光源７１が適切なデューティで駆動される。
【０１０４】
図１５に、図１４に示した電気系の主要な構成の回路例を示す。
【０１０５】
図１５に示すように、スイッチング回路６４は、例えばＮＭＯＳで構成され、ソース側に電流測定用の抵抗が接続されドレイン側には、スイッチング回路６４を構成するトランジスタＴｒの破壊を防止するためのスナバー回路と、電源との間のケーブルに含まれる寄生インダクターで生じるトランジスタがオフした際に発生する高電圧をコンデンサ側に放電させるダイオードとコンデンサが含まれている。ここでコンデンサはレーザのアノード電位で事前に充電されている。したがってカソードに発生した電圧がアノード電位以下ではダイオードがオンせず、超えた場合だけダイオードがオンしてコンデンサで発生した電圧（電荷）を吸収する。
【０１０６】
例えば、ＰＷＭ信号は周波数１０ｋＨｚ、１ＭＨｚのクロック信号を用いてデューティを１％刻みで変化可能に構成される。レーザ光源７１には例えば２０個のレーザ素子が直列に接続され、例えば４２Ｖで駆動される。レーザ光源７１は例えば電流が２Ａで駆動される。トランジスタＴｒのソース、ドレイン間の抵抗はゲートに６Ｖを印加したときの２０ｍΩであり、デューティ１００％でのトランジスタＴｒでの損失は８０ｍＷとなる。
【０１０７】
スイッチング回路６４には、キャリブレーション用に電圧検出と電流検出が行われる。電圧検出はグラウンドＧＮＤとレーザアノードとの間を分圧して、両端電圧がＡＤコンバータの予め定めた入力電圧範囲内となるようにするために用いられる。単純にレーザ光源７１のアノードとカソード間を分圧して入力すると、スイッチング回路６４がオフ時のカソード電位はアノード電位に向かって上昇するので、ＡＤコンバータの入力電圧範囲を超えて壊れるためである。また、電流検出はスイッチング回路６４を構成するトランジスタＴｒのソース側に接続された抵抗の電圧降下として測定する。電流測定抵抗は１０ｍΩ程度として、電流測定による損失を抑えながら精度を確保する。１０ｍΩであれば２Ａで駆動しても損失は４０ｍＷであり、２Ａの電流を印加したときに２０ｍＶ出力するので、例えは、１２ビットのＡＤコンバータでフルスケール５００ｍＶ程度あれば１％以内の分解能を得ることができる。また駆動電流が大きいとグラウンドＧＮＤの電位変動が測定精度に影響するため、電圧及び電流共に抵抗両端電圧を差動でＡＤコンバータに入力してグラウンドＧＮＤの変動が精度に影響しないようにすることが好ましい。
【０１０８】
また、キャリブレーションは電圧検出をレーザ素子ごとに検出するのではなく、レーザ素子に共通に接続された電源端子とグラウンドＧＮＤ間で分圧して測定する場合には、上述のように、複数のレーザ素子を同時に駆動すると共通の配線の電圧降下がパラメータ算出に影響するため、１個のレーザ素子毎にオンして測定することで、複数のレーザ素子を同時駆動した場合の電圧降下による誤差を排除できる。１個のレーザ素子毎にオンして測定する場合には、ＡＤコンバータは１個あればよく、複数のレーザ素子各々の電圧及び電流測定の抵抗両端電圧を各々アナログＭＰＸで切り替えて１系統の差動信号にしてＡＤ変換すればよい。
【０１０９】
次に、目標光量を得るためのデューティを導出する処理をさらに説明する。
図１６に、目標光量を得るためのデューティを導出するために用いるパラメータを導出する処理の流れの一例を示す。
【０１１０】
ステップＳ１０では、デューティを増加させながら、電圧、電流、及び光量を測定する。次のステップＳ１２では、デューティを１００％に設定し、電圧を増加させつつ電流及び光量を測定する。次に、ステップＳ１４において異なる２種類のデューティを交互に切替ながら電流を測定する。そして、ステップＳ１６では測定結果を用いてパラメータを導出する。
【０１１１】
次に、パラメータを用いて目標光量を得るためのデューティを導出する処理の流れをさらに説明する。
図１７に、目標光量を得るためのデューティを導出する処理の流れの一例を示す。
【０１１２】
ステップＳ２０では、画像データに基づいて、照射領域の目標光量を設定する。次のステップＳ２１では、照射領域の区画単位の光量(P1,P2,・・・,Ｐｎ)を設定する。次に、ステップＳ２２において電流Ｉｎ＝Ｉｏを設定する。ステップＳ２３において目標光量Ｐｋ（１＜ｋ＜ｎ）を選択し、ステップＳ２４で式（２）でＩｎを算出する。ステップＳ２５で目標光量ＰｋとＩｎとからＤｕｔｙを算出する。ステップＳ２６で対象となる画像領域が照射領域に到達するのに合わせて求めたＤｕｔｙを更新する。ステップＳ２７で印刷機が停止するか確認し、停止しない場合には再びステップＳ２３に戻ってＤｕｔｙ更新を繰り返す。
【０１１３】
なお、上述のデューティを導出する演算、及びＰＷＭ信号の発生を行い構成は、ＦＰＧＡ（Field-Programmable Gate Array）等のプログラマブルロジックデバイス（ＰＬＤ）を用いた集積回路により構成することができる。例えば、デューティを導出する演算回路、及びＰＷＭ信号を発生させる発生回路を、ＦＰＧＡで構成した場合、ＦＰＧＡは制御部２０に接続される。この場合、制御部２０は、画像濃度データを照射光量に変換して目標光量としてＦＰＧＡへ出力する。ＦＰＧＡは目標光量が入力されると上記処理による演算によってデューティを導出して、連続紙Ｐの移動速度に応じたクロックに同期してＰＷＭ制御の信号を発生させる。すなわち、ＦＰＧＡを駆動する内部クロックを基準にして所定のＰＷＭ周期に発生したトリガー信号によるデューティに対応したレーザ光源をオンさせるパルス幅の信号とオフさせる信号とを生成して出力する。
【０１１４】
レーザ光源７１の個別ばらつきに対応した演算に用いるパラメータは、スイッチング回路６４における電圧及び電流が例えばアナログＭＰＸを経由してＡＤ変換されて、ＦＰＧＡで用いられた値が制御部２０へ送信される。制御部２０では、測定結果から個別パラメータを導出し、その結果をＦＰＧＡへ出力する。ＦＰＧＡでは、入力された個別パラメータを記憶しておき、次回の演算の際に用いられる。
【０１１５】
以上説明したように、レーザ光源７１を定電圧駆動する際にＰＷＭ制御によるデューティを補正して制御することで、連続紙Ｐに照射する光量を目標光量に制御することができる。そして、連続紙Ｐに照射する光量を目標光量に制御し、さらに累積エネルギ制御を行う。
【０１１６】
次に、連続紙Ｐ上のインク滴を乾燥させるために行うレーザ光源７１から照射したレーザ光の累積エネルギ制御について説明する。なお光量とは特に説明が無い場合にはＰＷＭ１周期の平均光量を指す。
【０１１７】
図１８に、レーザ乾燥装置７０のレーザ照射面の一例を示す。ここで、レーザ照射面とは、連続紙Ｐの画像形成面と対向するように設けられた複数のレーザ素子ＬＤがレーザ光を照射する面をいう。
【０１１８】
図１８に示すように、レーザ乾燥装置７０のレーザ照射面には、複数のレーザ素子ＬＤが、用紙搬送方向及び用紙幅方向に沿って配置される。複数のレーザ素子ＬＤは、レーザ駆動部６０によってレーザ照射のタイミング及びレーザ光の照射光量が制御される。また、複数のレーザ素子ＬＤは、用紙搬送方向に沿って予め定めた個数毎にレーザ素子ブロックＬＢとしてまとめられ、レーザ駆動部６０により、レーザ素子ブロックＬＢ毎に一括して駆動される。従って、レーザ素子ブロックＬＢは、同時に点灯または消灯するレーザ素子群として機能する。
【０１１９】
図１８に示す例では、複数のレーザ素子ＬＤの一例として、用紙搬送方向に２０個のレーザ素子ＬＤ０１〜ＬＤ２０を含むレーザ素子群をレーザ素子ブロックＬＢとして、用紙幅方向に１６ブロック（レーザ素子ブロックＬＢ０１〜ＬＢ１６）配設した３２０個のレーザ素子でレーザ乾燥装置７０を構成した場合を示した。なお、図１８に示すレーザ素子ブロックＬＢに含まれるレーザ素子ＬＤの個数及びレーザ素子ブロックＬＢのブロック数に制限がないことは勿論である。また、本実施形態では、複数のレーザ素子ＬＤとして、用紙幅方向の間隔、すなわちレーザ素子ブロックＬＢの間隔が１．２７ｍｍに設定されたレーザユニットを用いた場合を説明する。
【０１２０】
レーザ素子ＬＤは、レーザ光を面発光する面発光レーザ素子を用いることが好ましい。例えば、面発光レーザ素子として、複数のレーザ素子を用紙搬送方向及び用紙幅方向に格子状に配置した垂直共振器型のレーザ素子を含む、ＶＣＳＥＬ（Vertical Cavity Surface Emitting Laser）とも称されるレーザ素子を用いることができる。
【０１２１】
ところで、レーザ素子ブロックＬＢを、連続紙Ｐの画像形成面上における各レーザ素子ブロックＬＢのレーザ照射領域が用紙幅方向に隙間なく隣接するように配置した場合、連続紙Ｐの画像形成面上には、各レーザ素子ブロックＬＢのレーザ照射領域単位のレーザ光が照射される。ところが、レーザ光は、中心から徐々に光量が小さくなる光量分布のレーザ光を照射する。このため、画像形成面上では、レーザ光の光量がばらつき、インク滴の乾燥ムラを引き起こす場合がある。
【０１２２】
そこで、本実施形態では、少なくとも用紙幅方向の画像形成領域に、より多くのレーザ光が照射されるように、少なくとも用紙幅方向に複数のレーザ光が互いに重複するように、レーザ素子ブロックＬＢを位置させる。すなわち、レーザ素子ＬＤから照射されるレーザ光が広がりを有する、すなわち、レーザ素子ＬＤの放射角度及び（連続紙Ｐにおける）放射領域の広さに着目し、用紙幅方向の画像形成領域内に、少なくとも用紙幅方向の複数のレーザ素子のレーザ光が重複して照射されるようにレーザ素子ＬＤを配設する。
【０１２３】
図１９に、用紙幅方向の画像形成領域とレーザ素子ブロックＬＢとの位置関係の一例を示す。
図１９に示す例では、用紙幅方向の画像形成領域Ｒｘに対して、複数のレーザ素子ブロックＬＢからのレーザ光が重複して照射されるようにレーザ素子ブロックＬＢを設けている。すなわち、レーザ素子ＬＤのレーザ光の広がり（放射角度）を考慮して、連続紙Ｐに対してレーザ光が重複して照射されるようにレーザ素子ＬＤと連続紙Ｐとの距離を定める。このようにすることで、連続紙Ｐに照射されるレーザ光を、レーザ素子ブロックＬＢ単位のレーザ光から複数のレーザ素子ブロックＬＢによるレーザ光に分散させることができる。これにより、インク滴の乾燥ムラを抑制することができる。
【０１２４】
また、レーザ乾燥装置７０を用いてインク滴を乾燥させる場合、レーザ乾燥装置７０のレーザ照射領域に含まれるインク滴が乾燥される。従って、インク滴をレーザ照射によって乾燥させる場合、レーザ乾燥装置７０におけるレーザ照射領域をどのように設定すればよいか、レーザ照射領域におけるレーザ光の光量をどのように設定すればよいのかを検討する必要がある。
【０１２５】
図２０に、複数のレーザ素子ＬＤによるレーザ照射領域Ｒの一例を示す。
本実施形態では、各レーザ素子ＬＤから照射される各レーザ光は広がりを有する。この広がりを有する各レーザ光を考慮するため、複数のレーザ素子ＬＤによるレーザ照射面に対応する領域Ｒｏと、領域Ｒｏの周囲に広がりを有するレーザ光を考慮するために定めた領域Ｒｍとを含むレーザ照射領域Ｒを設定する。なお、領域Ｒｏは、画像形成領域に対応する。
【０１２６】
領域Ｒｏは、連続紙Ｐ上で、複数のレーザ素子ＬＤがレーザ光を照射するレーザ照射面に対応する大きさの領域である。すなわち、領域Ｒｏは、連続紙Ｐ上で、用紙幅方向に配列されたレーザ素子ＬＤの距離に対応する幅Ｈｏ、用紙搬送方向に配列されたレーザ素子ＬＤの距離について連続紙Ｐの搬送速度に応じて伸縮した長さＶｏの大きさを設定する。連続紙Ｐは、搬送されながら複数のレーザ素子ＬＤによりレーザ光が照射される。従って、連続紙Ｐには複数のレーザ素子ＬＤにより照射されたレーザ光のエネルギが累積される。すなわち、インク滴を乾燥するためには、レーザ光の光量（照射光量）及びそのレーザ光の照射時間により与えられる累積エネルギ（照射光量と照射時間の積）を検討することが重要である。また、この領域Ｒｏは、複数のレーザ素子ＬＤの各々から照射されたレーザ光が支配的な領域が存在する。
【０１２７】
そこで、本実施形態では、領域Ｒｏをレーザ素子ＬＤ単位で分割し、分割した区画単位で照射されるレーザ光による累積エネルギを検討する。すなわち、本実施形態では、領域Ｒｏを、用紙幅方向に１６分割（Ｈｏ／１６）し、用紙搬送方向に２０分割（Ｖｏ／２０）した大きさの区画ＳＰ単位でレーザ光による累積エネルギを検討する。区画ＳＰの用紙幅方向の大きさは、レーザ素子ＬＤの用紙幅方向の間隔として、例えば０．６３５ｍｍに設定される。また、区画ＳＰの用紙搬送方向の大きさは、用紙搬送方向に並べられたレーザ素子ＬＤ０１〜ＬＤ２０の配置間隔１．８９ｍｍに設定される。
【０１２８】
なお、領域Ｒｏにおける累積エネルギを詳細に検討する場合、用紙幅方向のレーザ素子ＬＤ間におけるレーザ光の照射光量による累積エネルギを考慮する場合がある。この場合は、用紙幅方向に配列されたレーザ素子ＬＤの数を所定倍した数で、分割すればよい。例えば、レーザ素子ＬＤの数の２倍で分割することにより、用紙幅方向のレーザ素子ＬＤ間のレーザ光の光量が谷間となる部分の累積エネルギを考慮することで乾燥ムラを抑制することができる。また区画ＳＰの用紙搬送方向の長さをレーザ素子ＬＤの配置間隔とすることで、配置間隔の間の領域についての演算を不要にしている。
【０１２９】
一方、領域Ｒｍは、領域Ｒｏの周囲に広がるレーザ光を考慮するために、所定区画を有する領域を定める。本実施形態では、用紙搬送方向に所定数（例えば５）の区画ＳＰを有する領域を有し、用紙幅方向にレーザ素子ＬＤの用紙幅方向の間隔の１／２の区画、すなわち、用紙搬送方向に区画ＳＰを１／２に分割した区画を、所定数（例えば５）有する領域を定める。すなわち、領域Ｒｍは、連続紙Ｐ上で、区画ＳＰの１／２の区画を５つ並べた用紙幅方向の距離に対応する幅Ｈｍを両側に設定し、用紙搬送方向の上流側、下流側に区画ＳＰを５つ並べた距離について連続紙Ｐの搬送速度に応じて伸縮した長さＶｍの大きさが設定される。
【０１３０】
なお、本実施形態では、累積エネルギ算出時の誤差を避けるために用紙搬送方向の上流側、下流側に所定数の区画ＳＰを有する領域Ｒｍを検討対象として設定して用紙上の検討対象位置が領域Ｖｏを外れて領域Ｒｍから漏れこんだレーザ光の影響を考慮できるようにしたが、用紙搬送方向の上流側、下流側に設けた少なくとも一方の領域Ｒｍは無視してもよい。これは、図１８に示したように用紙搬送方向にレーザ素子が２０個１．８９ｍｍピッチで配置された状態の場合、領域Ｖｏ外の漏れ光の寄与が小さいため、領域Ｒｍを無視したとしても、累積エネルギの算出結果に影響が少ないという結果を得たためである。このように、領域Ｒｍを無視することで、演算負荷を抑制することができる。
【０１３１】
次に、レーザ乾燥装置７０の駆動方法について説明する。
【０１３２】
前記したように、本実施の形態に係るレーザ駆動部６０は、レーザ素子ブロックＬＢ毎にレーザ素子ブロックＬＢをオンオフ駆動する。従って、レーザ乾燥装置７０に含まれる全てのレーザ素子ブロックＬＢをまとめて一括してオンオフ駆動する場合と比較して、インク滴が存在しない領域への無駄なレーザ照射を抑制することができる。これにより、インク滴を乾燥する際に要する消費エネルギーが抑制され、インク滴が効率よく乾燥される。
【０１３３】
また、本実施の形態に係るレーザ駆動部６０は、画像情報を用いて、画像上の位置におけるインク滴の量を算出する。すなわち、連続紙Ｐに形成される画像の濃度に応じてインク滴の量は変動する。そこで、連続紙Ｐの予め定めた領域に、画像情報に応じて吐出されたインク滴の量を算出する。この場合、予め定めた領域を区画ＳＰとする。
【０１３４】
レーザ駆動部６０は、画像のインク滴の量に応じたレーザ照射光量となるように該当するレーザ素子ブロックＬＢをオンオフ駆動する。また、レーザ駆動部６０は、各レーザ素子ブロックＬＢをオンオフ駆動するデューティをインク滴の量と連続紙Ｐの搬送速度に基づいて算出する。すなわち、レーザ駆動部６０は、レーザ照射領域Ｒを連続紙Ｐ（の画像形成領域）が用紙搬送方向に通過するのに要する時間を累積時間として、画像のインク滴の量に応じて必要となる累積エネルギとなるように、レーザ照射光量をレーザ素子ブロックＬＢをオンオフ駆動し制御する。
【０１３５】
なお、レーザ駆動部６０は、画像のインク滴の量に応じてレーザ素子ブロックＬＢをオンオフ駆動するのに代えて、画像の表面印字率を算出し、算出した画像の表面印字率に応じて、レーザ素子ブロックＬＢをオンオフ駆動してもよい。例えば、レーザ駆動部６０は、画像情報に基づいて、画像の表面印字率を予め算出する。ここで、印字率とは、連続紙Ｐの予め定めた領域に、インク滴を打滴することができる箇所の総数に対して、実際にインク滴が打滴された箇所の割合をいう。この場合、予め定めた領域を区画ＳＰとする。すなわち、画像の表面印字率とは、画像が連続紙Ｐの画像形成領域に形成された際、レーザ素子ＬＤの各々に対応して定めた区画ＳＰに含まれる連続紙Ｐ（の画像形成領域）の印字率をいう。
【０１３６】
レーザ駆動部６０は、画像の表面印字率に応じ、乾燥に必要な累積エネルギとなるよう、該当するレーザ素子ブロックＬＢをオンオフ駆動する。また、レーザ駆動部６０は、各レーザ素子ブロックＬＢをオンオフ駆動するデューティについて、連続紙Ｐの搬送速度によって用紙がレーザ照射領域を通過する累積時間が変化するため、さらに搬送速度も考慮してレーザ照射光量を決定する。すなわち、レーザ駆動部６０は、レーザ照射領域Ｒを連続紙Ｐ（の画像形成領域）が用紙搬送方向に通過するのに要する時間と、画像の表面印字率に応じて、レーザ素子ブロックＬＢをオンオフ駆動する。
【０１３７】
次に、インクジェット記録装置１０における電気系の要部構成を説明する。
図２１は、インクジェット記録装置１０における電気系の要部構成の一例を示す図である。制御部２０は、例えば、コンピュータで実現可能である。以下、制御部２０として実現可能なコンピュータを、コンピュータ２０と表記して説明する。
【０１３８】
図２１に示すように、コンピュータ２０は、ＣＰＵ（Central Processing Unit）２０１、ＲＯＭ（Read Only Memory）２０２、ＲＡＭ（Random Access Memory）２０３、不揮発性メモリ２０４、及び入出力インターフェース（Ｉ／Ｏ）２０５が、バス２０６を介して各々接続される。そして、Ｉ／Ｏ２０５には、ヘッド駆動部４０、レーザ駆動部６０、用紙速度検出センサ１１０、通信回線Ｉ／Ｆ（Interface）１２０、操作表示部１３０、及び用紙搬送モータ１４０が接続されている。更に、ヘッド駆動部４０には印字ヘッド５０、レーザ駆動部６０にはレーザ乾燥装置７０が接続されている。また、搬送ローラ１００は、用紙搬送モータ１４０と例えばギヤ等の駆動機構を介して接続され、用紙搬送モータ１４０の駆動に伴い搬送ローラ１００が回転する。
【０１３９】
コンピュータ２０は、例えばＲＯＭ２０２に予めインストールされている制御プログラム２０２ＰをＣＰＵ２０１で実行し、制御プログラム２０２Ｐに従ってＩ／Ｏ２０５に接続される各要素とデータ通信を行うことで、インクジェット記録装置１０を制御する。
【０１４０】
ヘッド駆動部４０は、例えば印字ヘッド５０をオンオフ駆動するＦＥＴ等のスイッチング素子を含み、コンピュータ２０からの指示を受け付けてスイッチング素子を駆動する。
【０１４１】
印字ヘッド５０は、例えば、電圧の変化を力に変換する圧電素子等を含み、ヘッド駆動部４０からの駆動指示に従って圧電素子等を動作させ、図示しないインクタンクから供給されたインク滴を、印字ヘッド５０のノズル吐出口から連続紙Ｐに向かって吐出する。
【０１４２】
レーザ駆動部６０は、例えば、レーザ乾燥装置７０に含まれるレーザ素子ブロックＬＢ毎にレーザ素子ブロックＬＢをオンオフ駆動するＦＥＴ等のスイッチング素子を含み、コンピュータ２０からの指示を受け付けてスイッチング素子を駆動する。
【０１４３】
レーザ乾燥装置７０は、例えば、レーザ素子ブロックＬＢを含み、レーザ駆動部６０からの駆動指示に従って、レーザ素子ブロックＬＢから連続紙Ｐに向かってレーザ光を照射する。
【０１４４】
通信回線Ｉ／Ｆ１２０は、図示しない通信回線に接続され、通信回線に接続されている図示しないパーソナルコンピュータ等の情報機器と、データ通信を行うためのインターフェースである。この図示しない通信回線は、有線、無線、及び有線と無線の混在の何れの形態であってもよく、例えば、図示しない情報機器から画像情報を受け付けるようにしてもよい。
【０１４５】
操作表示部１３０はインクジェット記録装置１０のユーザからの指示を受け付けると共に、ユーザに対してインクジェット記録装置１０の動作状況等に関する各種情報を通知する。操作表示部１３０は、例えば、プログラムによって操作指示の受け付けを実現する表示ボタンや各種情報が表示されるタッチパネル式のディスプレイ、及び、テンキーやスタートボタンなどのハードウェアキー等を含む。
【０１４６】
以上の要素を含むインクジェット記録装置１０の処理は、制御プログラム２０２Ｐを実行することにより、コンピュータ２０を利用してソフトウエアにより実現することができる。
【０１４７】
なお、制御プログラム２０２Ｐは、ＲＯＭ２０２に予めインストールされて提供される形態に限られず、ＣＤ−ＲＯＭやメモリカード等のコンピュータ読み取り可能な記録媒体に格納された状態で提供される形態であってもよい。また、通信回線Ｉ／Ｆ１２０を経由して配信される形態等であってもよい。
【０１４８】
次に、本実施形態に係るインクジェット記録装置１０の作用を説明する。
【０１４９】
図２２に、例えば、ユーザから連続紙Ｐに形成する画像情報を受け付けた際に、コンピュータ２０のＣＰＵ２０１によって実行される制御プログラム２０２Ｐの一例としての乾燥プログラムの処理の流れを示す。
【０１５０】
なお、ここでは説明を簡略化するため、レーザ乾燥装置７０の直前に形成されたＭ色のインク画像を乾燥処理する場合を説明する。
【０１５１】
まず、ステップＳ１００では、例えばＲＡＭ２０３の予め定めた領域に予め記憶されたＭ色の画像情報を取得する。例えば、Ｍ色の画像情報は、乾燥領域を示す情報及びインク滴の量を示す各情報が含まれる。乾燥領域とは、画像形成領域にインク滴が吐出されてインク画像が形成された領域の位置及び大きさをいう。また、画像の濃度に応じてインク滴の量が変動するため、乾燥領域内の位置（例えば画素）に対応してインク滴の量が定まる。このため、インク滴の量を示す各情報は、乾燥領域内の位置（例えば画素）に関連付けられている。
【０１５２】
次のステップＳ１１０では、ステップＳ１００で取得したＭ色の画像情報を用いて、連続紙Ｐ上（画像形成領域上）に形成されるＭ色のインク画像を乾燥するための累積エネルギを導出し、導出した累積エネルギの値を目標値としてＲＡＭ２０３に格納する。Ｍ色のインク滴を乾燥するためには、Ｍ色の画像情報に応じたＭ色のインク滴の量が乾燥されるエネルギを与えることが必要であり、本実施形態では、レーザ光の光量（照射光量）及びそのレーザ光の照射時間による累積エネルギを与えることを想定する。
【０１５３】
そこで、ステップＳ１１０では、まず、Ｍ色の画像情報によって表される画像の各画素のＭ色のインク滴の量及び配置が、連続紙Ｐ上（画像形成領域上）に形成される画像の位置と一致するように、ＲＡＭ２０３の予め定めた領域に画像情報を展開する。なお、ＲＡＭ２０３に展開された画像情報を画像データという。
【０１５４】
そして、ＲＡＭ２０３に展開された画像データを、レーザ乾燥装置７０で用いられるレーザ素子ＬＤに対応した区画ＳＰの大きさに分割する。分割した区画ＳＰの大きさに対応する領域毎に画像データのＭ色のインク滴の量を算出して、算出したＭ色のインク滴の量を画像形成領域（レーザ照射領域Ｒの領域Ｒｏ）における区画ＳＰの各位置に対応付けてＲＡＭ２０３に記憶する。
【０１５５】
次に、インク滴の量を乾燥する乾燥エネルギを、区画ＳＰ毎に導出する。すなわち、区画ＳＰの各位置に対応するインク滴の量を乾燥する、例えばレーザ光の光量及びそのレーザ光の照射時間から設定されるエネルギを、乾燥エネルギとして区画ＳＰ毎に導出する。導出した乾燥エネルギを、区画ＳＰに含まれるインク滴の量を乾燥する累積エネルギの目標値として、区画ＳＰの各位置に対応付けてＲＡＭ２０３に記憶する。
【０１５６】
図２３に、目標値として導出した画像形成領域におけるエネルギの一例を示す。
【０１５７】
次に、ステップＳ１２０、Ｓ１３０で用紙搬送方向の特定位置での累積エネルギ目標値からレーザ照射光量を繰り返し演算によって算出する。まずステップＳ１２０では、レーザ乾燥装置７０で照射するレーザ光の照射光量を導出するために、レーザ素子ブロックＬＢから照射する例えばデューティ最大時のレーザ光の最大照射光量と、連続紙Ｐを用紙搬送方向に搬送する搬送速度を基に繰り返し演算の累積エネルギの初期値を設定する。ここで搬送速度は、インクジェット記録装置１０内で連続紙Ｐを搬送させる予め定めた搬送速度が記憶されているものとする。
【０１５８】
次のステップＳ１３０では、用紙幅方向のエネルギプロファイルを、レーザ素子ＬＤの照射光量を繰り返し演算により、目標累積エネルギ未満とならないようレーザ光の照射光量を徐々に低下させながら目標値に至るまで導出する。本実施形態では、Ｍ色のインク画像を乾燥させるための累積エネルギを導出するのに、２次元で算出するのではなく、レーザ素子が用紙搬送方向に２０個並び、それらが一括で制御されることから、用紙搬送方向には同一値とみなし用紙幅方向だけの１次元で算出することで、大幅に演算を簡略化している。Ｍ色のインク画像に対して用紙幅方向に１次元方向の累積エネルギを導出し、そして用紙搬送方向に展開する。
【０１５９】
そこで、ステップＳ１３０では、用紙幅方向に１次元方向の累積エネルギを用紙搬送方向に亘って導出する。詳細には、まず、連続紙Ｐの画像形成領域における用紙幅方向に１区画ＳＰが連続する区画ＳＰ群について、連続紙Ｐを搬送しながらレーザ素子ブロックＬＢから初期値の照射光量によるレーザ光を照射した場合の累積エネルギプロファイルを導出する。そして１次元方向の累積エネルギを用紙搬送方向に亘って導出する。次に、レーザ光の照射光量を予め定めた照射光量だけ低下させて１次元方向の累積エネルギを用紙搬送方向に亘って導出することを繰り返す。この場合には、導出した１次元方向（用紙幅方向）の累積エネルギが目標値未満になった区画に対応するレーザ素子ブロックＬＢの照射光量を低下させることを停止する。そして求める照射光量として累積エネルギが目標値未満となるひとつ手前の目標値以上の値を採用する。
【０１６０】
図２４に、連続紙Ｐの画像形成領域において累積エネルギを導出する対象となる領域の一例を示す。図２４には用紙幅方向に１次元方向の累積エネルギを用紙搬送方向に亘って導出する場合に、連続紙Ｐの画像形成領域における用紙幅方向に１区画ＳＰが連続する区画ＳＰ群ＳＰＧ−Ｈの一例が示されている。
【０１６１】
図２５に、区画ＳＰ群ＳＰＧ−Ｈについて、繰り返し演算によって、目標値となる累積エネルギから各レーザ素子ＬＤの照射光量を求める過程の一例を示す。
【０１６２】
図２５（Ａ）に示すように、全てのレーザ素子ブロックＬＢ０１〜ＬＢ１６から、例えば、繰り返し演算の初期値として各レーザ素子ＬＤを最大照射光量に設定して連続紙Ｐを搬送させながらレーザ光を照射した場合、区画ＳＰ群ＳＰＧ−Ｈには、全てのレーザ素子ブロックＬＢに含まれる用紙幅方向の各レーザ素子ＬＤからレーザ素子ブロックＬＢの長さ方向に順次、最大照射光量のレーザ光が照射される。これにより、幅Ｈｏに対応する区画ＳＰ群、すなわち用紙幅方向の画像形成領域についての累積エネルギは最大照射光量のレーザ光によるエネルギが累積された累積エネルギＥ０となる。この場合、画像形成面における用紙幅方向に対する累積エネルギの分布として用紙幅方向のエネルギプロファイルＥＰ０が得られる。
【０１６３】
そして、エネルギプロファイルＥＰ０と目標値とを比較して、用紙幅方向の累積エネルギが目標値以上の場合には照射光量を低下させる。
すなわち、図２５（Ｂ）に示すように、エネルギプロファイルＥＰ０が目標値によるプロファイルの何れかの位置で接するまで、全てのレーザ素子ブロックＬＢ０１〜ＬＢ１６について各レーザ素子ＬＤの照射光量を予め定めた照射光量だけ徐々に低下させる。図２５（Ｂ）に示す例では、最大照射光量から予め定めた照射光量だけ低下された照射光量のレーザ光によるエネルギが累積された累積エネルギＥ１による用紙幅方向のエネルギプロファイルＥＰ１で、目標値によるプロファイルと接している。
【０１６４】
次に、目標値によるプロファイルと接したエネルギプロファイルＥＰ１の位置に該当する区画ＳＰに関係する複数のレーザ素子ブロックＬＢについて照射光量の低下を停止し、他のレーザ素子ブロックＬＢについて各レーザ素子ＬＤの照射光量を予め定めた照射光量だけ低下させることを順次繰り返す。
すなわち、図２５（Ｃ）に示すように、目標値によるプロファイルに接したエネルギプロファイルＥＰ１による累積エネルギＥ１を維持しつつ、照射光量が低下された他のレーザ素子ブロックＬＢによる累積エネルギが目標値によるプロファイルに接するまで繰り返し、累積エネルギＥ２が導出される。さらにその他のレーザ素子ブロックＬＢによる累積エネルギが目標値によるプロファイルに接するまで繰り返す。図２５（Ｃ）に示す例では、照射光量を低下させている途中の累積エネルギＥ３が示されている。この場合には、用紙幅方向のエネルギプロファイルＥＰ２が得られる。
【０１６５】
そして、図２５（Ｄ）に示すように、目標値によるプロファイルによる網羅した用紙幅方向のエネルギプロファイルＥＰ３が導出される。このようにして導出された用紙幅方向のエネルギプロファイルＥＰ３から、用紙幅方向の区画ＳＰ群ＳＰＧ−Ｈに対して照射されたレーザ光による累積エネルギ、すなわちレーザ素子ブロックＬＢ０１〜ＬＢ１６に含まれる各レーザ素子ＬＤの照射光量を導出できる。
【０１６６】
以上の処理を、連続紙Ｐの画像形成領域において用紙搬送方向に亘って、すなわち用紙搬送方向の区画ＳＰ毎に行って、連続紙Ｐの画像形成領域に対する累積エネルギを、用紙幅方向の単位で導出する。このようにして導出した累積エネルギを、区画ＳＰの各位置に対応付けてＲＡＭ２０３に記憶する。なお、導出した累積エネルギから、予め定められた連続紙Ｐの搬送速度を用いて、レーザ素子ブロックＬＢ０１〜ＬＢ１６に含まれる各レーザ素子ＬＤの照射光量を導出することができる。従って、累積エネルギに代えて、導出したレーザ素子ＬＤの照射光量を区画ＳＰの各位置に対応付けてＲＡＭ２０３に記憶してもよい。
【０１６７】
なお、本実施形態では、最大照射光量からレーザ光の照射光量を徐々に低下させながら目標値に至るまで用紙幅方向のエネルギプロファイルを導出した場合を説明したが、エネルギプロファイルの導出方法はこれに限定されない。例えば最小照射光量を含む予め定めた照射光量からレーザ光の照射光量を徐々に増減させながら目標値以上になるまで用紙幅方向のエネルギプロファイルを導出してもよい。
【０１６８】
次に、ステップＳ１４０では、用紙搬送方向における累積エネルギの最大値を導出し、レーザ光の照射光量プロファイルを導出する。本実施形態では、前記のようにして導出された用紙幅方向に１次元方向の累積エネルギを用いて、用紙搬送方向に展開する。
【０１６９】
すなわち、ステップＳ１４０では、用紙搬送方向の各位置における累積エネルギからレーザ光の照射光量の分布を示す照射光量プロファイルを用紙幅方向に亘って導出する。詳細には、まず、連続紙Ｐの画像形成領域における用紙搬送方向に１区画ＳＰが連続する区画ＳＰ群について、累積エネルギの最大値を導出して照射光量プロファイルを導出する。そして照射光量プロファイルを用紙幅方向に亘って導出することを繰り返す。
【０１７０】
図２４に、連続紙Ｐの画像形成領域において照射光量プロファイルを導出する対象となる領域の一例が示されている。すなわち図２４には用紙搬送方向に照射光量プロファイルを用紙幅方向に亘って導出する場合に、連続紙Ｐの画像形成領域における用紙搬送方向に１区画ＳＰが連続する区画ＳＰ群ＳＰＧ−Ｖの一例が示されている。
【０１７１】
図２６に、区画ＳＰ群ＳＰＧ−Ｖについて、累積エネルギの最大値を用いて照射光量プロファイルを導出する過程の一例を示す。
【０１７２】
図２６（Ａ）には、レーザ素子ブロックＬＢ０３に対応する区画ＳＰ群ＳＰＧ−Ｖにおける累積エネルギの分布の一例が示されている。図２６（Ａ）に示す例では、用紙搬送方向の上流側から区画ＳＰｖ１、ＳＰｖ２、ＳＰｖ３に対応した累積エネルギＥｖ１，Ｅｖ２、Ｅｖ３の順に、累積エネルギが分布している。例えば、累積エネルギを得るためには、レーザ素子ブロックＬＢ０３に含まれるレーザ素子ＬＤ全てから照射されたレーザ光の照射光量が累積されるので、実際の累積エネルギは、２点鎖線で示す特性ＥＰｖになる。この場合、累積エネルギＥｖ１，Ｅｖ２、Ｅｖ３の各々を得るためにレーザ素子ブロックＬＢ０３に含まれるレーザ素子ＬＤを用紙搬送方向の区画ＳＰ単位で制御しなければならず、レーザ素子ブロックＬＢの制御が煩雑になる。
【０１７３】
そこで、本実施形態では、レーザ素子ブロックＬＢごとに制御することを前提に用紙搬送方向における累積エネルギの最大値を用いて照射光量プロファイルを導出する。すなわち、図２６（Ｂ）に示すように、累積エネルギＥｖ１を得るためには、レーザ素子ブロックＬＢ０３が区画ＳＰｖ１を通過する時間Ｔ、すなわちレーザ素子ブロックＬＢ０３に含まれる２０個のレーザ素子ＬＤによるレーザ光が照射される間の時間（搬送時間）Ｔの間、所定の照射光量によるレーザ光を照射する。この所定の照射光量は、累積エネルギＥｖ１をレーザ素子ブロックＬＢ０３において平均化、すなわちレーザ素子ＬＤの個数（２０個）で除算した累積エネルギによる照射光量を求めればよい。具体的には、累積エネルギＥｖ１を時間Ｔで除算し、さらにレーザ素子ＬＤの個数（２０個）で除算することで照射光量Ｐｗ１を求めることができる。
【０１７４】
また、累積エネルギＥｖ２を得るための照射光量Ｐｗ２、及び累積エネルギＥｖ３を得るための照射光量Ｐｗ３も同様にして求めることができる。
【０１７５】
図２６（Ｂ）に示すように、累積エネルギＥｖ１，Ｅｖ２、Ｅｖ３の各々を得るためには、時間経過と共にレーザ素子ブロックＬＢ０３における照射光量Ｐｗ１、Ｐｗ２，Ｐｗ３となるようにレーザ素子ＬＤを駆動する。ところが、レーザ素子ブロックＬＢ０３に含まれる２０個のレーザ素子ＬＤを同時に駆動するので、累積エネルギＥｖ１，Ｅｖ２、Ｅｖ３の各々になるようにレーザ素子ブロックＬＢ０３を駆動することは困難である。そこで、本実施形態では、用紙搬送方向における累積エネルギの最大値を用いてレーザ光の照射光量の分布を示す照射光量プロファイルを導出する。
【０１７６】
すなわち、図２６（Ｃ）に示すように、累積エネルギＥｖ１，Ｅｖ２、Ｅｖ３の最大値に対応する照射光量の最大値である、照射光量Ｐｗ１、Ｐｗ２，Ｐｗ３の何れかになるように照射光量を設定し、レーザ光の照射光量の分布を示す照射光量プロファイルＰｗＰを導出する。
【０１７７】
以上の処理を、連続紙Ｐの画像形成領域において用紙幅方向に亘って、すなわち用紙幅方向の区画ＳＰ毎に行って、レーザ素子ブロックＬＢの各々に対する照射光量プロファイルＰｗＰを導出する。このようにして導出した照射光量プロファイルＰｗＰを、区画ＳＰの各位置に対応付けてＲＡＭ２０３に記憶する。
【０１７８】
なお、本実施形態では、累積エネルギをレーザ素子ブロックＬＢにおいて平均化し最大電流を抑制してレーザ素子の劣化を考慮した場合を説明したが、これに限定されない。例えば照射光量を変化させてもよい。
【０１７９】
次に、ステップＳ１５０では、前記のようにして導出した照射光量プロファイルＰｗＰの各々に従ってレーザ素子ブロックＬＢの各々を駆動する。すなわち、ステップＳ１５０では、まずステップＳ１４０で導出した、レーザ素子ブロックＬＢ毎の照射光量プロファイルをＲＡＭ２０３から読み出す。そして、レーザ素子ブロックＬＢ毎に、照射光量プロファイルにより定められたタイミングでレーザ素子ブロックＬＢを駆動するスイッチング素子を制御して、照射光量プロファイルにより定められた照射光量を有するレーザ光をレーザ素子ブロックＬＢから照射させる。以上により、本プログラムを終了する。
【０１８０】
ところで、用紙幅方向では、印字ヘッド５０によって連続紙Ｐに吐出されたインク滴で形成される画像形成領域のうちの用紙幅方向におけるインク滴の吐出限界位置付近を担当するレーザ素子ブロックＬＢを、側縁部のレーザ素子ブロックＬＢ、すなわち、レーザ素子ブロックＬＢ０１及びＬＢ１６で担当させた場合、レーザ光の重なりが少ないため、インク滴を乾燥させる光量として設定される乾燥光量は、側縁部のレーザ素子ブロックＬＢによるレーザ光の光量が支配的となる。このため、インク滴の乾燥光量を得るための側縁部のレーザ素子ブロックＬＢによるレーザ光の光量は、大きくなる。従って、側縁部のレーザ素子ブロックＬＢの消費電力が増大したり、他のレーザ素子ブロックＬＢに比べて側縁部のレーザ素子ブロックＬＢの劣化が大きくなったりする。また、インク滴の乾燥光量を得る電力が側縁部のレーザ素子ブロックＬＢのレーザ素子を駆動可能な電力の上限値を越えた場合、インク滴の乾燥光量を得ることができず、インク滴の乾燥ムラが生じてしまう。
【０１８１】
そこで、本実施形態では、用紙幅方向の画像形成領域により多くのレーザ光が互いに重複して照射されるように、用紙幅方向の画像形成領域を超えた領域に側縁部のレーザ素子ブロックＬＢを位置させることができる。すなわち、レーザ素子ＬＤから照射されるレーザ光が広がりを有する、すなわち、レーザ素子ＬＤの放射角度及び（連続紙Ｐにおける）放射領域の広さに着目し、用紙幅方向の画像形成領域内には、少なくとも用紙幅方向の複数のレーザ素子のレーザ光が重複するようにレーザ素子ＬＤを配設することができる。
【０１８２】
図２７に、用紙幅方向の画像形成領域とレーザ素子ブロックＬＢとの位置関係の一例を示す。図２７に示す例では、用紙幅方向の画像形成領域Ｒｘから用紙幅方向に距離Ｄｓを離した位置に側縁部のレーザ素子ブロックＬＢ（ＬＢ０１及びＬＢ１６）を設けている。このようにすることで、インク滴の吐出限界位置付近を担当するレーザ素子ブロックＬＢを分散できる。これにより、側縁部のレーザ素子ブロックＬＢの消費電力が増大したり、側縁部のレーザ素子ブロックＬＢの劣化が大きくなったりすることはない。また、インク滴の乾燥ムラも抑制することができる。
【０１８３】
このように本実施の形態によれば、少なくとも用紙幅方向について、レーザ光の広がりを考慮して累積エネルギを算出するので、インク画像の端部領域であっても、累積エネルギの不足を抑制することができる。これによって、乾燥ムラを抑制することができる。
【０１８４】
また、本実施形態では、用紙幅方向にレーザ光の広がりを考慮した累積エネルギを求め、用紙搬送方向にはレーザ光の広がりを考慮した照射エネルギプロファイルを求めて、用紙幅方向のレーザ素子の配置間隔、用紙搬送方向のレーザ素子の配置間隔を単位として、連続紙Ｐ上のインク画像に対する累積エネルギと、その累積エネルギを得るためのレーザ光の照射光量を導出して、同一時刻におけるレーザ光の照射光量の最大値を制御値とする。これによって、インキ滴の乾燥に用いる累積エネルギを抑制しつつ供給することで、レーザ光の照射光量を余剰を含む余分な照射光量に設定することを抑制することができる。
【０１８５】
さらに、本実施形態では、用紙幅方向にレーザ素子を配置する場合に、連続紙Ｐ上における乾燥領域よりも外側までレーザ配置領域を広げることができる。このようにすることによって、用紙幅方向でレーザ光の照射光量の上限値を抑制してレーザ素子の劣化を防止することができる。
【０１８６】
また、本実施形態では、インク画像に対して用紙幅方向に１次元方向の累積エネルギを導出し、そして用紙搬送方向に展開する。これによって、目標とする累積エネルギを得るためのレーザ光の照射光量プロファイルを導出する処理を単純化することができる。
【０１８７】
また、本実施形態では、レーザ光の照射エネルギを用紙搬送方向に累積する場合に、レーザユニット外に広がったレーザ光は累積に含めないようにすることができる。これによって、累積エネルギを導出する際における目標値に対する誤差分の影響を抑制することができる。
【０１８８】
以上、実施の形態を用いて説明したが、開示の技術の技術的範囲は上記実施形態に記載の範囲には限定されない。発明の要旨を逸脱しない範囲で上記実施形態に多様な変更または改良を加えることができ、当該変更または改良を加えた形態も開示の技術の技術的範囲に含まれる。
【０１８９】
また、上記実施形態では、乾燥処理をソフトウエア構成によって実現した場合について説明したが、開示の技術はこれに限定されるものではなく、例えば当該乾燥処理をハードウェア構成により実現する形態としてもよい。
【０１９０】
この場合の形態例としては、例えば、制御部２０と同一の処理を実行する機能デバイスを作成して用いる形態がある。この場合は、上記の実施形態に比較して、処理の高速化が期待される。
【０１９１】
また、上記実施形態では、記録媒体として連続紙Ｐを用いたが、記録媒体の種類はこれに限られない。例えば、Ａ４及びＡ３等のカット紙を用いてもよく、また、記録媒体の材質も紙に限られず、レーザ光を照射することでインク滴が定着する種類の素材を用いてもよい。また、本実施形態では、乾燥を目的にしているが、完全に乾燥しないレーザ照射光量であっても画質改善に寄与するため、目標として設定する累積エネルギは、改善する目的に応じて変えることができる。
【０１９２】
なお、上記実施形態におけるレーザ光の種類は特に限定されない。例えば、赤外線領域の波長を有する赤外レーザ光を照射するレーザ素子の他、紫外線領域の波長を有するＵＶ（ultra violet）レーザ光を照射するレーザ素子を用いてもよい。
【符号の説明】
【０１９３】
１０    インクジェット記録装置
２０    コンピュータ
３０    記憶部
４０    ヘッド駆動部
５０    印字ヘッド
６０    レーザ駆動部
７０    レーザ乾燥装置
２０１  ＣＰＵ
２０２  ＲＯＭ
２０３  ＲＡＭ
ＬＢ    レーザ素子ブロック
ＬＤ    レーザ素子
Ｐ      連続紙
【図１】
2019117830.tif 000003
【図２】
2019117830.tif 000004
【図３】
2019117830.tif 000005
【図４】
2019117830.tif 000006
【図５】
2019117830.tif 000007
【図６】
2019117830.tif 000008
【図７】
2019117830.tif 000009
【図８】
2019117830.tif 000010
【図９】
2019117830.tif 000011
【図１０】
2019117830.tif 000012
【図１１】
2019117830.tif 000013
【図１２】
2019117830.tif 000014
【図１３】
2019117830.tif 000015
【図１４】
2019117830.tif 000016
【図１５】
2019117830.tif 000017
【図１６】
2019117830.tif 000018
【図１７】
2019117830.tif 000019
【図１８】
2019117830.tif 000020
【図１９】
2019117830.tif 000021
【図２０】
2019117830.tif 000022
【図２１】
2019117830.tif 000023
【図２２】
2019117830.tif 000024
【図２３】
2019117830.tif 000025
【図２４】
2019117830.tif 000026
【図２５】
2019117830.tif 000027
【図２６】
2019117830.tif 000028
【図２７】
2019117830.tif 000029